(57)【要約】無線通信システムにおける電子機器及びモビリティ測定を行う方法である。当該電子機器は、通信装置とモビリティ測定装置を含む。通信装置は、異なるキャリアにより二つの接続ノードにそれぞれデュアル接続通信を行うように配置される。モビリティ測定装置は、現在デュアル接続ノードの少なくとも一つ接続サービス品質が所定レベルより低い場合に、現在デュアル接続における接続ノードに対して、接続変換形態を確定するためのモビリティ測定を行う。モビリティ測定装置は、現在デュアル接続ノードの少なくとも一つに対する測定状況に応じて、モビリティ測定結果の報告方式を確定するように配置される。【選択図】図１
2017523618.tif 000002
【特許請求の範囲】
【請求項１】
無線通信システムにおける電子機器であって、
異なるキャリアにより二つの接続ノードのそれぞれとデュアル接続通信を行うように配置される通信装置と、
現在デュアル接続ノードの少なくとも一つの接続サービス品質が所定レベルより低い場合に、現在デュアル接続のうち接続ノードに対して、接続変換形態を確定するためのモビリティ測定を行い、
前記現在デュアル接続ノードの少なくとも一つに対する測定状況に応じて、前記モビリティ測定結果の報告方式を確定するように配置されるモビリティ測定装置とを含む電子機器。
【請求項２】
前記モビリティ測定は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の一つを確定するように配置されるモビリティ測定を含む請求項１に記載の電子機器。
【請求項３】
前記モビリティ測定装置は、現在デュアル接続ノードの一つの主キャリアのサービス品質が第１の閾値レベルより低い場合に、前記方式aの接続変換に対応するモビリティ測定結果を報告するように配置され、前記第１の閾値レベルがＥ−ＵＴＲＡＮ  Ａ２イベントをトリガーするための閾値レベルより高くない請求項２に記載の電子機器。
【請求項４】
前記モビリティ測定装置は、前記二つの接続ノードのそれぞれに対してモビリティ測定を行い、
所定条件を満足する場合に、現在デュアル接続ノードのうち第１のノードと第２のノードの測定対象に対する測定結果間の比較に応じてモビリティ測定報告のトリガーを確定するように配置される請求項１に記載の電子機器。
【請求項５】
第１のノードに対する前記モビリティ測定装置の第１の測定対象は、第１のノードから受信する、第１のノードに対する異周波数異システム測定対象と前記第１のノード接続キャリアに対する同周波数測定対象を含み、第２のノードに対する前記モビリティ測定装置の第２の測定対象は、第２のノードから受信する、第２のノードに対する異周波数異システム測定対象と前記第２のノード接続キャリアに対する同周波数測定対象を含み、
前記モビリティ測定装置は、前記第１の測定対象と前記第２の測定対象に基づいてモビリティ測定をそれぞれ行い、前記第１のノードの同周波数測定対象の測定結果と前記第２のノードの測定対象の測定結果を比較して測定報告条件を満足するかどうかを判断し、測定報告トリガーの条件を満足する場合に、前記測定対象の測定結果及び／又は測定比較結果を報告するように配置される請求項４に記載の電子機器。
【請求項６】
前記モビリティ測定装置は、前記第１のノードが以下の条件の少なくとも一つを満足する場合に、前記第１のノードの測定結果と前記第２のノードの測定結果を比較してＥ−ＵＴＲＡＮ  Ａ３、Ａ４、Ａ５、Ｂ１又はＢ２イベントのトリガー条件を満足するかどうかを判断するように配置され、
前記以下の条件は、
前記第１のノードと前記第２のノードとの少なくとも一つがＡ２イベントのトリガー条件を満足すること、
前記第１のノードについて、異周波数測定又は異システム測定ための測定対象が存在しないこと、
前記第１のノードの主キャリアに対して起動したＴ３１０タイマーが所定期間を超え且つまだ前記第１の測定対象に対するＡ３、Ａ４、Ａ５、Ｂ１Ｂ２  ＴＴＴタイマーを起動しない、又は当該ＴＴＴタイマーを起動したがいずれも所定期間内で停止されたことである請求項４に記載の電子機器。
【請求項７】
前記モビリティ測定装置は、前記第１の接続ノードが以下の条件の少なくとも一つを満足する場合に、前記第２の接続ノードの測定結果との比較を停止し、既にトリガーされた対応Ａ３、Ａ４、Ａ５、Ｂ１又はＢ２  ＴＴＴタイマーを停止するように配置され、前記第１のノードの主キャリアの測定結果の比較が前記第１の測定対象における周波数点に限られ、
前記以下の条件は、
前記第１のノードの主キャリアがＡ１イベントトリガー報告条件を満足すること、
前記第１のノードの主キャリアは、Ｔ３１０タイマーのタイムアウト前にＴ３１０タイマーを停止した又はＴ３１０タイマーを起動した後に所定期間を超えない際に前記第１の測定対象に関するＡ３、Ａ４、Ａ５、Ｂ１又はＢ２  ＴＴＴタイマーを起動した、又は当該ＴＴＴタイマーを起動し且つ運行時間が所定期間を超えたことである請求項４に記載の電子機器。
【請求項８】
前記モビリティ測定装置は、前記方式eの接続変換に対応するモビリティ測定について、現在デュアル接続ノード各自の異周波数測定又は異システム測定の測定対象に含まれる周波数点のみに対して前記モビリティ測定と報告を行うように配置される請求項２に記載の電子機器。
【請求項９】
前記モビリティ測定装置は、現在デュアル接続ノードのうち第１のノードに対してＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うように配置される請求項２に記載の電子機器。
【請求項１０】
前記モビリティ測定装置は、以下の条件を満足する場合に、前記方式cに対応する測定結果報告を直接に行うように配置され、
前記以下の条件は、
前記第１のノードが先にＡ３、Ａ４、Ａ５、Ｂ１又はＢ２イベントトリガー報告条件を満足すること、
この時刻で、前記第２のノードの主キャリアのＡ３、Ａ４、Ａ５、Ｂ１又はＢ２  ＴＴＴタイマーの満期待ち時間が所定閾値より小さいこと、
前記第１のノードと前記第２のノードの測定ターゲットノードが同じであること、である請求項９に記載の電子機器。
【請求項１１】
前記モビリティ測定装置は、以下の条件を満足する場合に、前記方式cに対応する測定結果報告を直接に行し、移行ターゲットノードを前記第１のノードのターゲットノードとして指示するように配置され、
前記以下の条件は、
前記第１のノードが先にＡ３、Ａ４、Ａ５、Ｂ１又はＢ２イベントトリガー報告の条件を満足すること、
この時刻で、前記第２のノードの主キャリアのＡ３、Ａ４、Ａ５、Ｂ１又はＢ２  ＴＴＴタイマーの満期待ち時間が所定閾値より小さいこと、
この時刻で前記第２のノードのＴ３１０タイマーの満期待ち時間が当該ＴＴＴタイマーの満期待ち時間よりも所定閾値以上に大きくないことである請求項９に記載の電子機器。
【請求項１２】
前記モビリティ測定装置は、以下の条件を満足する場合に、前記方式cに対応する測定結果報告を直接に行い、移行ターゲットノードを前記第１のノードのターゲットノードとして指示するように配置され、
前記以下の条件は、
前記第１のノードが先にＡ３、Ａ４、Ａ５、Ｂ１又はＢ２イベントトリガー報告の条件を満足すること、
この時刻で、前記第２のノードのＴ３１０タイマーの満期待ち時間が所定閾値より小さいことである請求項９に記載の電子機器。
【請求項１３】
前記モビリティ測定装置は、現在デュアル接続ノードのうち第１のノードがＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び前記第１のノード及び／又は前記第２のノードに対して起動したＴ３１０タイマーが所定条件を満足する場合に、前記第２のノードに対する当該ＴＴＴタイマーが満期するのを待つように配置される請求項２に記載の電子機器。
【請求項１４】
前記モビリティ測定装置は、前記第１のノードに対してＡ３、Ａ４、Ａ５、Ｂ１又はＢ２イベントトリガー報告条件を満足し、且つ以下の条件を満足する場合に、前記第２のノードに対する当該ＴＴＴタイマーが満期するのを待つように配置され、
前記以下の条件は、
前記第２のノードの主キャリアに対して起動したＡ３、Ａ４、Ａ５、Ｂ１又はＢ２  ＴＴＴタイマーの満期待ち時間が所定閾値より小さいこと、
前記第１のノード及び／又は前記第２のノードに対して起動したＴ３１０タイマーの満期待ち時間が前記第２のノードの当該ＴＴＴタイマーの満期待ち時間よりも所定閾値以上に大きいことである請求項１３に記載の電子機器。
【請求項１５】
前記モビリティ測定装置は、前記第２のノードのＴＴＴタイマーが満期するのを待つ過程中に前記第２のノードのチャネル品質が既に回復されたことで当該ＴＴＴタイマーが停止されると、前記第１のノードの測定トリガーイベントに対して前記方式bに対応する測定結果報告を行うように配置される請求項１４に記載の電子機器。
【請求項１６】
前記モビリティ測定装置は、前記第２のノードのＴＴＴタイマーが満期したら、
前記第１のノードと前記第２のノードの主キャリア測定ＴＴＴイベントのターゲットノードが異なる場合に、前記方式dに対応する測定結果報告を行う、或いはマクロノードのターゲットノードにより前記方式cに対応する測定結果報告を行い、
前記第１のノードと前記第２のノードの主キャリア測定ＴＴＴイベントのターゲットノードが同じである場合に、前記方式cに対応する測定結果報告を行うように配置される請求項１４に記載の電子機器。
【請求項１７】
前記第２のノードに対する測定トリガー報告イベントは、カバーに基づくモビリティトリガー報告イベントである請求項１３に記載の電子機器。
【請求項１８】
前記モビリティ測定装置は、現在デュアル接続ノードの二つのノードの主キャリアがいずれもＡ３、Ａ４、Ａ５、Ｂ１又はＢ２イベントトリガー報告条件を満足する場合に、以下の原則の一つ又は複数に基づいて報告優先順序を確定し、前記方式bに対応する測定結果報告を行い、
前記以下の原則は、
ソースノードチャネル品質のより悪いものが優先すること、
ターゲットノード信号のより良いものが優先すること、
カバーに基づく測定イベントが負荷に基づく測定イベントよりも優先すること、
Ｔ３１０のタイムアウトのより早いノードが優先すること、
マクロ基地局ノードが低電力ノードよりも優先することである請求項２に記載の電子機器。
【請求項１９】
前記モビリティ測定装置は、低電力ノードのみに対して負荷に基づくイベント報告を行うように配置される請求項１-１８の何れか一項に記載の電子機器。
【請求項２０】
前記モビリティ測定装置は、ノード変換通知シグナルを受信する前に現在デュアル接続ノードのうち一つのノードに無線リンク障害が現れると、以下のルールの一つに応じて操作するように配置され、
前記以下のルールは、
所定時間閾を超えるのを待った後に現在デュアル接続ノードの他の一つのノードを介してネットワークへ報告し、前記時間閾以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１-１８の何れか一項に記載の電子機器。
【請求項２１】
前記モビリティ測定装置は、以下の場合に、現在デュアル接続ノードのうち第１のノード及び／又は第２のノードへ測定報告を送信し前記ノードから接続移行確認を受信するように配置され、
前記以下の場合は、
前記第１のノードと前記第２のノードのＴ３１０タイマーの満期待ち時間がいずれも所定閾値より大きいこと、又は
前記第１のノードと前記第２のノードについて、Ｔ３１０タイマーの満期待ち時間がＴＴＴタイマーの満期待ち時間よりも所定閾値以上に大きいことである請求項１-１８の何れか一項に記載の電子機器。
【請求項２２】
前記モビリティ測定装置は、以下の場合に、現在デュアル接続ノードのうち第１のノードへ測定報告の送信及び接続移行確認の受信をするように配置され、
前記以下の場合は、
前記第１のノードのＴ３１０タイマーの満期待ち時間が所定閾値より大きく、現在デュアル接続ノードのうち第２のノードのＴ３１０タイマーの満期待ち時間が所定閾値より小さいこと、又は
前記第１のノードに対して、Ｔ３１０タイマーの満期待ち時間がＴＴＴタイマーの満期待ち時間よりも所定閾値以上に大きく、且つ前記第２のノードに対して、Ｔ３１０タイマーの満期待ち時間がＴＴＴタイマーの満期待ち時間よりも所定閾値以上に大きくないことである請求項１-１８の何れか一項に記載の電子機器。
【請求項２３】
前記モビリティ測定装置は、以下の場合に、現在デュアル接続ノードのうち第１のノードと第２のノードの両方へ測定報告の送信及び接続移行確認の受信をするように配置され、
前記以下の場合は、
前記第１のノードと前記第２のノードのＴ３１０タイマーの満期待ち時間がいずれも所定閾値より小さいこと、又は
前記第１のノードと前記第２のノードについて、Ｔ３１０タイマーの満期待ち時間がＴＴＴタイマーの満期待ち時間よりも所定閾値以上に大きいことである請求項１-１８の何れか一項に記載の電子機器。
【請求項２４】
移動通信端末によりモビリティ測定を行う方法であって、
デュアル接続シーンで通信する前記移動通信端末が現在デュアル接続ノードの少なくとも一つを介したサービス品質が所定レベルより低い場合に、前記現在デュアル接続ノードに対して、接続変換形態を確定するためのモビリティ測定を行うステップと、
前記現在デュアル接続ノードの少なくとも一つに対する測定状況に応じて、前記モビリティ測定結果の報告方式を確定するステップとを含む方法。
【請求項２５】
前記接続変換形態は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の少なくとも一つを含む請求項２４に記載の方法。
【請求項２６】
現在デュアル接続ノードの一つサービス品質が第１の閾値レベルより低い場合に、前記方式aの接続変換に対応するモビリティ測定結果を報告し、前記第１の閾値レベルがＥ−ＵＴＲＡＮ  Ａ２イベントをトリガーするための閾値レベルより高くない請求項２５に記載の方法。
【請求項２７】
所定条件を満足する場合に、現在デュアル接続ノードのうち第１の接続ノードと第２の接続ノードに対する測定結果間の比較に応じてモビリティ測定報告のトリガーを確定する請求項２４に記載の方法。
【請求項２８】
前記方式eの接続変換に対応するモビリティ測定に対して、現在デュアル接続ノード各自の異周波数測定又は異システム測定の測定対象に含まれる周波数点のみに対して前記モビリティ測定と報告を行う請求項２５に記載の方法。
【請求項２９】
現在デュアル接続ノードのうち第１のノードに対してＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記移動通信端末が前記方式cに対応する測定結果報告を直接に行う請求項２５に記載の方法。
【請求項３０】
現在デュアル接続ノードのうち第１のノードに対してＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び前記第１のノード及び／又は前記第２のノードに対して起動したＴ３１０タイマーが所定条件を満足する場合に、前記移動通信端末が前記第２のノードに対する当該ＴＴＴタイマーが満期するのを待つ請求項２５に記載の方法。
【発明の詳細な説明】
【技術分野】
【０００１】
本開示は、無線通信分野に関し、具体的に、無線通信システムにおける電子機器及び移動通信端末によりモビリティ測定を行う方法に関する。
【背景技術】
【０００２】
現在、ＬＴＥ（ロング・ターム・エボリューション）／ＬＴＥ−Ａ（ロング・ターム・エボリューションアドバンスト）システムにおいて、
サービスセル品質が一つの絶対閾より高く、行っている周波数間測定を停止するためと測定ギャップ（Ｇａｐ）を不活性化するためのＡ１イベントと、
サービスセル品質が一つの絶対閾より低く、周波数間測定を開くためと測定ギャップを活性化するためのＡ２イベントと、
隣接セルがメインサービスセル品質よりも一つの絶対閾だけ高く、周波数内／周波数間でカバーに基づく切り替えのためのＡ３イベントと、
隣接セル品質が一つの絶対閾より高く、主に、負荷に基づく切り替えのためのＡ４イベントと、
メインサービスセル品質が一つの絶対閾１より低く、且つ隣接セル品質が一つの絶対閾２より高く、周波数内／周波数間でカバーに基づく切り替えのためのＡ５イベントと、
隣接セルが補助サービスセル品質よりも一つの絶対閾だけ高く、周波数間でカバーに基づくサブキャリアの調整のためのＡ６イベントと、
異システム間隣接セル品質が一つの絶対閾より高く、負荷に基づく切り替えのためのＢ１イベントと、
サービスセル品質が一つの絶対閾１より低く且つ異システム間隣接セル品質が一つの絶対閾２より高く、カバーに基づく切り替えのためのＢ２イベント、のような測定イベントが定義されている。
その中、Ａ１／Ａ２イベントが端末の閉鎖又は異周波数測定のトリガー、Ａ３／Ａ５／Ｂ２がカバーに基づくシステム内とシステム間の切り替え、Ａ６がキャリアアグリゲーションシーンでカバーに基づくサブキャリア調整、Ａ４／Ｂ１イベントが負荷に基づくシステム内とシステム間の切り替えに用いられてもよい。
【発明の概要】
【発明が解決しようとする課題】
【０００３】
デュアル接続のシーンで、端末は二つの理想的バックホール（ｉｄｅａｌ  ｂａｃｋｈａｕｌ）がない基地局と同時に接続し、そのモビリティシーンがｉｄｅａｌ  ｂａｃｋｈａｕｌキャリアアグリゲーションのデュアル基地局接続又はシングル基地局接続よりも複雑となっている。従って、上記デュアル接続シーンについて、本開示の実施例を提案している。
【０００４】
以下、本開示の実施例に関する簡単な概説を示して、本開示のある局面に関する基本的理解を提供する。なお、この概説が本開示に関する取り尽くし的概説ではないと理解すべきである。それは、本開示の肝心又は重要部分を意図的に特定することではなく、本開示の範囲を意図的に限定することでもない。その目的は、簡潔の形式で、ある概念を提供して、後に論述するより詳しい技術の前述とするものである。
【０００５】
本開示の一局面によれば、無線通信システムにおける電子機器を提供する。当該電子機器は、通信装置とモビリティ測定装置を含む。通信装置は、異なるキャリアにより二つの接続ノードのそれぞれとデュアル接続通信を行うように配置される。モビリティ測定装置は、現在デュアル接続ノードの少なくとも一つの接続サービス品質が所定レベルより低い場合に、現在デュアル接続における接続ノードに対して、接続変換形態を確定するためのモビリティ測定を行うように配置される。モビリティ測定装置は、さらに現在デュアル接続ノードの少なくとも一つに対する測定状況に応じて、モビリティ測定結果の報告方式を確定するように配置される。
【０００６】
本開示の他の局面によれば、移動通信端末によりモビリティ測定を行う方法を提供する。当該方法は、デュアル接続シーンで通信する移動通信端末が現在デュアル接続ノードの少なくとも一つを介するサービス品質が所定レベルより低い場合に、現在デュアル接続ノードに対して接続変換形態を確定するためのモビリティ測定を行うステップを含む。当該方法は、現在デュアル接続ノードの少なくとも一つに対する測定状況に応じて、モビリティ測定結果の報告方式を確定するステップをさらに含む。
【０００７】
本開示の実施例により、デュアル接続の測定報告の効率を最適化するのに有利である。
【図面の簡単な説明】
【０００８】
本発明は、以下の図面に基づいて説明する記述を参照することにより、より容易に理解できる。なお、全ての図面において、同じ或いは類似の符号を用いて同じ或いは類似の部品を示す。これらの図面は、以下の詳細な説明と共に本明細書に含まれ且つ本明細書の一部を形成し、そして、さらに例を挙げて本発明の好適な実施例を説明し、本発明の原理と利点を解釈するためのものである。      
【図１】本開示の一実施例に基づく電子機器の配置の例を示すブロック図である。
【図２】接続変換形態を説明するための模式図である。
【図３】Ｔ３１０タイマーとＴＴＴタイマーのシーケンス関係の例を説明するための模式図である。
【図４】ＴＴＴタイマーのシーケンス関係の例を説明するための模式図である。
【図５】ＴＴＴタイマーとＴ３１０タイマーのシーケンス関係の例を説明するための模式図である。
【図６】ＴＴＴタイマーとＴ３１０タイマーのシーケンス関係の例を説明するための模式図である。
【図７】ＴＴＴタイマーとＴ３１０タイマーのシーケンス関係の例を説明するための模式図である。
【図８】接続ノード変換のためのシグナル伝達の例を説明するための模式図である。
【図９】接続ノード変換のためのシグナル伝達の例を説明するための模式図である。
【図１０】接続ノード変換のためのシグナル伝達の例を説明するための模式図である。
【図１１】接続ノード変換のためのシグナル伝達の例を説明するための模式図である。
【図１２】本開示の他の一実施例に基づく方法のプロセスの例を示すフローチャートである。
【図１３】本開示を実現する方法と機器のコンピューターの例示的構成のブロック図である。
【発明を実施するための形態】
【０００９】
以下、図面を参照しながら、本開示の実施例を説明する。本発明の一つの図面或いは実施形態で記述する要素と特徴は、一つ或いは複数の他の図面或いは実施形態で記述する要素と特徴とを組み合わせることができる。なお、明確のために、図面と説明で本開示と関係なく、当業者にとって既知の部材と処理の表示と記述を省略した。
【００１０】
本開示内容の技術は各種の製品に応用することができる。例えば、基地局は、何らかのタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、何らかの他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【００１１】
例えば、電子機器は移動端末（例えばスマートフォン、タブレットパソコンコンピューター（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能である。端末装置３００は、マシンツーマシン（Ｍ２Ｍ）通信を実行する端末（マシン型通信（ＭＴＣ）端末とも称する）として実現されることが可能である。また、電子機器１００は、上記端末における端末ごとに取り付けられた無線通信モジュール（例えば単一のチップの集成回路モジュール）であってもよい。
【００１２】
図１に示すように、本開示の一つの実施例に基づく無線通信システムにおける電子機器１００は、通信装置１１０とモビリティ測定装置１２０とを含む。
【００１３】
通信装置１１０は、異なるキャリアにより二つの接続ノードにそれぞれデュアル接続通信を行うように配置される。
【００１４】
例えば、図２の模式図に示すように、電子機器Ｕ１は、その通信装置により二つの接続ノードＭ１とＳ１にそれぞれデュアル接続通信を行うことが可能である。
【００１５】
モビリティ測定装置１２０は、現在デュアル接続ノードのうち少なくとも一つの接続サービス品質が所定レベルより低い場合に、現在デュアル接続のうち接続ノードに対して、接続変換形態を確定するためのモビリティ測定を行うように配置される。なお、モビリティ測定装置１２０は、さらに、現在デュアル接続ノードのうち少なくとも一つに対する測定状況に応じて、モビリティ測定結果の報告方式を確定するように配置される。
【００１６】
本文では、「測定状況」は、測定結果そのもの（例えば、リファレンス信号受信電力（ＲＳＲＰ）、リファレンス信号受信品質（ＲＳＲＱ）等）を含んでよく、他の測定状況、例えば対応接続ノードにに対して測定リストが存在するかどうか、及び起動した対応Ｔ３１０タイマー及び／又はＴＴＴタイマーの状態等を含んでもよい。後に具体的実施例と結合して記述するように、モビリティ測定装置１２０は測定状況に応じて異なるモビリティ測定結果報告方式を相応に確定することができ、これにより、デュアル接続の測定報告の効率を最適化するのに有利である。
【００１７】
一つの実施例によれば、モビリティ測定は、
現在デュアル接続ノードのうち一つのノードの接続を切断して、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行し、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、それぞれ接続ノードにおけるサブキャリアを調整する方式e、という接続変換形態の一つを確定するように配置されるモビリティ測定を含むことができる。
【００１８】
以下、図２の模式図と結合して、上記の接続変換形態の例をより直感的に説明する。
【００１９】
マクロ基地局Ｍ２及びスモールセル基地局Ｓ４とデュアル接続を行うデバイスＵ４は、接続ノードの一つ、例えばスモールセル基地局Ｓ４との接続を切断し、且つ他の一つの接続ノード、例えばマクロ基地局Ｍ２との接続を保持することができ、当該接続変換形態が上記方式aに対応する。他の例において、方式aは、マクロ基地局との接続を切断してスモールセル基地局との接続を保持する場合を含んでもよい。
【００２０】
マクロ基地局Ｍ１及びスモールセル基地局Ｓ２とデュアル接続を行うデバイスＵ３は、接続ノードの一つ、例えばスモールセル基地局Ｓ２との接続を切断してスモールセル基地局Ｓ３との接続に変換することができ、当該接続変換形態が上記方式bに対応する。他の例において、方式bは、ソースマクロ基地局との接続をターゲットマクロ基地局との接続に変換する場合を含んでもよい。
【００２１】
マクロ基地局Ｍ２及びスモールセル基地局Ｓ５とデュアル接続を行うデバイスＵ５は、マクロ基地局Ｍ２及びスモールセル基地局Ｓ５との接続を切断してマクロ基地局Ｍ１との接続に変換することができ、当該接続変換形態が上記方式cに対応する。他の例において、方式cは、元のデュアル接続をターゲットスモールセル基地局との接続に変換する場合を含んでもよい。
【００２２】
マクロ基地局Ｍ３及びスモールセル基地局Ｓ６とデュアル接続を行うデバイスＵ２は、マクロ基地局Ｍ３及びスモールセル基地局Ｓ６との接続を切断して、マクロ基地局Ｍ２及びスモールセル基地局S７とのデュアル接続に変換することができ、当該接続変換形態が上記方式dに対応する。
【００２３】
特に、変換方式aについて、ターゲットノードの比較を行う必要がなく、当該変換のトリガー誘因が、例えば単一のノードの主キャリアに無線リンク障害（ＲＬＦ）が現れたこと、又はその主キャリアＲＳＲＰ／ＲＳＲＱモビリティ測定結果がある閾より低いことである。後者の場合に、Ｅ−ＵＴＲＡＮ  Ａ２イベントと方式aに対するトリガーイベントを区分し、例えば方式aに対するトリガーイベントを専門に定義してもよい。
【００２４】
一つの実施例によれば、モビリティ測定装置１２０は、現在デュアル接続ノードの一つのサービス品質が第１の閾値レベルより低い場合に、上記方式aの接続変換に対応するモビリティ測定結果を報告するように配置されてもよい。その中、第１の閾値レベルは、Ａ２イベントをトリガーするための閾値レベルより高くない。
【００２５】
上記の配置により、Ａ２イベントが異周波数測定をトリガーする条件が方式aの接続変換のトリガー条件よりも緩やかとなるようにするので、例えばＡ２イベントのトリガー時間が方式aの接続変換のトリガー時間よりも早いであってもよい。必要に応じて第１の閾値レベルを具体的に設置することで、Ａ２イベントのトリガーと方式aの接続変換のトリガー条件との間隔を適切に確定することもできる。
【００２６】
より具体的に、Ａ２イベントの定義に加えて、デュアル接続ユーザーがその中の一つの接続ノードを活性化するための一つのオフセット閾をさらに増加し、例えばネットワークから端末へ当該オフセット閾情報を放送してもよい。又は、Ａ２イベントのパラメータ定義を倣い、ネットワークから端末へ、デュアル接続ユーザーがその中の一つの接続ノードを活性化するパラメータをセットに放送してもよい。上記の二つの例の方式によれば、方式aの接続変換のための独立のトリガー報告イベントを設計するか、Ａ２イベント報告をそのまま使い方式aの接続変換を満足する報告トリガー条件の例えばＲＳＲＰ／ＲＳＲＱ測定結果を携帯してもよく、ネットワークがノードを不活性化する操作を判断する。
【００２７】
デュアル接続シーンについて、従来の測定報告ルールを使用する場合に、カバーに基づく測定トリガーは以下通りの挑戦に臨む。
【００２８】
依然として、図２の模式図を例として、Ｕ１とＵ３は、超密集スモールセル配置のシーンでデュアル接続データ伝送を行い、スモールセル間の強干渉を避けるために、隣り合うスモールセルが異なる周波数帯域を使用することができ、これらのスモールセルがマクロ基地局から遠い場合に、端末装置が二つの異周波数のカバーするスモールセルの重なり合い領域まで移動して異周波数測定を行う場合に、マクロセルと低電力ノードセルがターゲット測定スモールセルに対してＡ３〜Ａ６又はＢ１〜Ｂ２イベントを同時に満足する場合が頻繁に現れる可能性があり、そして、マクロ基地局及び／又は低電力ノードにそれぞれ報告する。しかしながら、端末がマクロセルのカバー範囲内であるので、マクロノード変換操作を行う必要がなく、このように、低電力ノードのサービスキャリアとマクロ基地局のサービスキャリアを比較することで不必要なモビリティ測定報告のためのリソース消費が現れることを招く。
【００２９】
また、Ｕ５がマクロセルのカバーするエッジにあるので、ターゲットマクロセル（Ｍ１）と現在デュアル接続セル（Ｍ２とＳ５）とがともにＡ３／Ａ５イベントを満足する。Ｕ２が同時に二つのマクロセル（Ｍ３とＭ２）のエッジと二つのスモールセル（Ｓ６とS７）のエッジにあるので、ソースマクロセルがターゲットマクロセルとターゲットスモールセルのＡ３／Ａ５イベントを満足すれば、デュアル接続中に二つの接続ノードの主キャリアモビリティ測定イベントトリガー時点が異なる可能性があり、それぞれ報告し且つ報告隣接時間が短い場合に、単独に実行する接続ノード移行操作シグナルインタラクティブ及びデータ伝達がより複雑化される可能性がある。従って、これらのシーンに対して単独のトリガーイベントを形成して、例えば図３に示すユーザー側データの伝送構造とフローに対して操作過程の全体を簡素化させる必要がある。
【００３０】
一つの実施例によれば，モビリティ測定装置１２０は、二つの接続ノードに対してそれぞれモビリティ測定を行い、そして、所定条件を満足する場合に、現在デュアル接続ノードのうち第１のノードと第２のノードの測定対象に対する測定結果間の比較に応じてモビリティ測定報告のトリガーを確定するように配置されてもよい。
【００３１】
続いて、具体的実施例と結合して、現在デュアル接続ノードにおける測定対象に対する測定結果間の比較に応じてモビリティ測定報告トリガーを確定する方式について説明する。
【００３２】
一つの具体的実施例によれば、モビリティ測定装置１２０が第１のノードに対する第１の測定対象は、第１のノードから受信する、第１のノードに対する異周波数異システム測定対象と第１のノード接続キャリアに対する同周波数測定対象を含んでもよい。同様に、モビリティ測定装置１２０が第２のノードに対する第２の測定対象は、第２のノードから受信する、第２のノードに対する異周波数異システム測定対象と第２のノード接続キャリアに対する同周波数測定対象を含んでもよい。例えば、異なる接続ノードに対する異周波数／異システム測定リストに応じて対応するノードの測定対象を確定してもよい。
【００３３】
これに対応して、モビリティ測定装置１２０は、第１の測定対象と第２の測定対象に基づいてそれぞれモビリティ測定を行い、第１の測定対象の測定結果と第２の測定対象の測定結果を比較して測定報告条件を満足するかどうかを判断するように配置されてもよい。第１のノード又は第２のノードのキャリアが測定イベントトリガー報告を満足する条件で、これらの測定対象の測定結果及び／又は測定比較結果を報告する。なお、測定結果及び／又は測定比較結果は、当該測定対象に対応するノードのみに、又はマクロノードのみに報告、或いは二つの接続ノードに報告してもよい。
【００３４】
デュアル接続シーンにおいて、何れかの接続ノードの何れかのキャリアがＡ２イベントを満足して報告した後、ネットワークは端末装置に当該ノードに対する異周波数測定を配置する可能性がある。一方、第１の接続ノード内にキャリアの同周波数測定結果が第２の接続ノードの異周波数測定結果とみなし、第１の接続ノードの（同システム又は異システム）異周波数測定結果も第２の接続ノードの異周波数測定結果とみなしてもよく、逆に、同様である。本実施例によれば、二つの接続ノードのモビリティ測定結果を参照して測定結果の報告を合理的に行うことで、例えば二つの接続ノードの測定対象が同一のターゲットノードを含む場合に発生する重複内容の報告を避けることができる。従って、不必要のＡ３／Ａ４／Ａ５／Ａ６／Ｂ１／Ｂ２イベントのトリガー報告を頻繁に行うことを避け、デュアル接続の測定報告トリガーの数を最適化することができる。
【００３５】
他の一つの具体的実施例によれば、モビリティ測定装置１２０は、第１のノードが以下の条件の少なくとも一つを満足する場合に、第１のノードの測定結果と第２のノードの測定結果と比較してＥ−ＵＴＲＡＮ  Ａ３／Ａ４／Ａ５／Ｂ１／Ｂ２イベントのトリガー条件を満足するかどうかを判断するように配置されてもよい。
１.１）第１のノードと第２のノードの少なくとも一つがＡ２イベントのトリガー条件を満足し、
１.２）第１のノードについて、異周波数測定又は異システム測定のための測定対象が存在せず、
１.３）第１のノードの主キャリアに対して起動したＴ３１０タイマーが所定期間を超え且つ第１の測定対象に対するＡ３／Ａ４／Ａ５／Ｂ１／Ｂ２  ＴＴＴタイマーがまだ起動しない、又は当該ＴＴＴタイマーが起動したが所定期間内で停止される。
【００３６】
ここで、あるノードの測定結果とは、当該ノードに対して行うモビリティ測定の結果を指し、当該ノードに関する測定対象（例えば第１の測定対象）に発射する信号を測定した結果を含んでもよい。前記のように、ノードから受信した当該ノードについての異周波数異システム測定対象の情報と当該ノード接続キャリアについての同周波数測定対象の情報に応じて当該ノードの測定対象を確定することができる。
【００３７】
上記条件１.１）について、デュアル接続ノードのうち一つのノードのサービス品質がＡ２イベント閾より低い場合に、第１のノードの測定結果と第２のノードの測定結果との比較を直接に行うことができる。
【００３８】
上記条件１.２）について、例えばデュアル接続ノードのうち一つのノードがモビリティ測定リストを有しない場合に、測定結果の比較を直接に行うことができ、これにより、他の一つのノードに対する測定対象の測定結果を利用することができる。
【００３９】
上記条件１.３）について、デュアル接続ノードのうち一つのノードのリンク障害の可能性が大きく且つ候補ターゲットノードがない場合に、測定結果の比較を直接に行うことができ、これにより、他の一つのノードに対する測定対象の測定結果を利用することができる。
【００４０】
これに対応して、所定条件に応じてノード間の測定結果の比較を適切に停止してもよい。一つの具体的実施例によれば、モビリティ測定装置１２０は、第１の接続ノードが以下の条件の少なくとも一つを満足する場合に、第２の接続ノードの測定結果との比較を停止するとともに、既にトリガーされた対応するＡ３／Ａ４／Ａ５／Ｂ１／Ｂ２  ＴＴＴタイマーを停止するように配置されてもよく、第１のノードの主キャリアの測定結果の比較が第１の測定対象における周波数点に限られる。
２.１）第１のノードの主キャリアがＡ１イベントトリガー報告条件を満足し、
２.２）第１のノードの主キャリアはＴ３１０タイマーのタイムアウト前にＴ３１０タイマーを停止した又はＴ３１０タイマーを起動した後に所定期間を超えない際に第１の測定対象に関するＡ３／Ａ４／Ａ５／Ｂ１／Ｂ２  ＴＴＴタイマーを起動した、又は当該ＴＴＴタイマーを起動し且つ運行時間が所定期間を超えた。
【００４１】
以上の条件２.１）について、ノードのサービス品質が回復されたので、他の一つのノードの測定結果との比較を停止することができる。
【００４２】
以上の条件２.２）について、ノードリンク障害の可能性が小さい又は候補ターゲットノードが存在する可能性があるので、他の一つのノードの測定結果との比較を停止することができる。
【００４３】
特に、一つの実施例によれば、モビリティ測定装置１２０は、方式eの接続変換に対応するモビリティ測定について、現在デュアル接続ノード各自の異周波数測定又は異システム測定の測定対象に含まれる周波数点のみに対して、モビリティ測定と報告を行うように配置される。これにより、不必要な報告がない場合にノード内にサブキャリアの変換を正確に行うことを確保することができる。
【００４４】
一方、単一のノードでＴＴＴタイマーを起動して伝統の切り替えイベント報告トリガーフローを実行するとともに他の一つのチャネル品質モニタリングフロー、即ち、ＲＬＦのモニタリングも存在する。例えば、図３に示すように、異なるノードに対して起動したＴＴＴタイマー（例えばＴＴＴタイマー１-４）とＲＬＦ  Ｔ３１０タイマーとの起動時間の関係が異なる可能性がある。また、異なるノードの間に一定の時間依存関係がある可能性があり、これらの依存関係はどのような移行を行う測定報告トリガーを判断するのに寄与する。
【００４５】
一つの実施例によれば、モビリティ測定装置１２０は、現在デュアル接続ノードのうち第１のノードがＡ３／Ａ４／Ａ５／Ｂ１／Ｂ２イベントトリガー報告条件を満足し、且つ現在デュアル接続ノードにおける第２のノードに対して起動したＡ３／Ａ４／Ａ５／Ｂ１／Ｂ２  ＴＴＴタイマー及び／又はＴ３１０タイマーが所定条件を満足する場合に、上記方式c の接続変換に対応する測定結果及び／又は測定比較結果のトリガー報告を直接に行うように配置されてもよい。
【００４６】
言い換えれば、一つのノードが接続変換条件を満足する場合に、第２のノードのタイマーが所定条件（例えば、後で具体的実施例を参照して説明する具体的条件）を満足すれば、第２のノードのタイマーが満期するのを待つ必要がなく、上記方式c の接続変換に対応する測定結果報告を行い、当該報告は第１のノードがターゲットノードへの変換条件を満足し、且つ第２のノードの接続を切断できることを指示してもよい。よって、システムは当該測定結果に応じて、現在デュアル接続ノードのうち二つのノードの接続を切断し、接続を当該ターゲットノードに移行して、デュアル接続状態からシングル接続状態に変換すると決定することができる。当該配置により、測定報告操作の複雑さを低減させる。
【００４７】
具体的実施例と結合して、上記の所定条件の例を説明する。
【００４８】
一つの具体的実施例によれば、以下の条件を満足する場合に、上記方式cに対応する測定結果報告を直接に行う。
３.１）第１のノードが先にＡ３／Ａ４／Ａ５／Ｂ１／Ｂ２イベントトリガー報告条件を満足し、
３.２）この時刻で、第２のノードの主キャリアのＡ３／Ａ４／Ａ５／Ｂ１／Ｂ２  ＴＴＴタイマーの満期待ち時間が所定閾値より小さく、
３.３）第１のノードと第２のノードの測定ターゲットノードが同じである。
【００４９】
本文で、「満期待ち時間」とは、タイマーの現在時間と予想満期時間との差を指し、つまり、満期待ち時間が短いほど、タイマーの満期に近づくようになる。
【００５０】
以上の条件３.１）を満足する場合に、第１のノードに利用可能な移行ターゲットノード（同システム又は異システムのノードであってもよい）が存在することを表す。
【００５１】
以上の条件３.２）を満足する場合に、第２のノードに利用可能な移行ターゲットノードが存在する可能性が大きいことを表す。図４に示すように、現在時間が第１のノードのＴＴＴＡタイマー満期の時間（即ち、図面の時点ＴＡ）であり、第２のノードのＴＴＴタイマーＴＴＴBの予想満期時間がＴBであり、且つＴＢ−ＴＡ≦△ＴＴＴであるとすると、条件２）を満足する。
【００５２】
以上の条件３.３）を満足する場合に、第２のノードのＴＴＴタイマーが満期しても同じターゲットノードへ移行することを表す。
【００５３】
従って、以上の条件を満足する場合に、第２のノードのタイマーが満期するのを待つ必要がなく、上記方式cの接続変換に対応する測定結果報告を直接に行う。これにより、システムは、当該測定結果に応じて、現在デュアル接続ノードのうち二つのノードの接続を切断し、接続を当該ターゲットノードに移行すると決定できる。
【００５４】
他の一つの具体的実施例によれば、以下の条件を満足する場合に、上記方式cに対応する測定結果報告を直接に行い、移行ターゲットノードを第１のノードのターゲットノードとして指示し：
４.１）第１のノードが先にＡ３／Ａ４／Ａ５／Ｂ１／Ｂ２イベントトリガー報告の条件を満足し、
４.２）この時刻で、第２のノードの主キャリアのＡ３／Ａ４／Ａ５／Ｂ１／Ｂ２  ＴＴＴタイマーの満期待ち時間が所定閾値より小さく、
４.３）この時刻で、第２のノードのＴ３１０タイマーの満期待ち時間が当該ＴＴＴタイマーの満期待ち時間よりも所定閾値以上に大きくない。
【００５５】
以上の条件４.１）を満足する場合に、第１のノードに利用可能な移行ターゲットノードが存在することを表す。
【００５６】
以上の条件４.２）を満足する場合に、第２のノードに利用可能な移行ターゲットノードが存在する可能性が大きいことを表す。図５に示すように、第１のノードのＴＴＴＡタイマーが満期する時間ＴＡと第２のノードのＴＴＴタイマーＴＴＴBの予想満期時間ＴBとがＴＢ−ＴＡ≦△ＴＴＴを満足すると、条件２）を満足する。
【００５７】
以上の条件４.３）を満足する場合に、第２のノードのＴＴＴタイマーが満期しても、接続変換を完了するのに不十分な時間内でリンク障害が現れる可能性がある。図５に示すように、第２のノードのＴ３１０タイマーの予想満期時間がＴＣであり、かつＴＣ−ＴＢ≦△Ｔ３１０を満足すると、条件３）を満足する。
【００５８】
従って、以上の条件を満足する場合に、第２のノードのＴＴＴ又はＴ３１０タイマーが満期するのを待つ必要がなく、上記方式cの接続変換に対応する測定結果報告を直接に行う。これにより、システムは、当該測定結果に応じて、現在デュアル接続ノードのうち二つのノードの接続を切断して、接続を当該ターゲットノードに移行すると決定できる。
【００５９】
他の一つの具体的実施例によれば、以下の条件を満足する場合に、上記方式cに対応する測定結果報告を直接に行い、移行ターゲットノードを第１のノードのターゲットノードとして指示し：
５.１）第１のノードが先にＡ３／Ａ４／Ａ５／Ｂ１／Ｂ２イベントトリガー報告の条件を満足し、
５.２）この時刻で、第２のノードのＴ３１０タイマーの満期待ち時間が所定閾値より小さい。
【００６０】
以上の条件５.１）を満足する場合に，第１のノードに利用可能な移行ターゲットノードが存在することを表す。
【００６１】
以上の条件５.２）を満足する場合に、第２のノードがすぐにリンク障害が現れる可能性があることを表す。図６に示すように、第２のノードのＴ３１０タイマーの予想満期時間がＴCであり、且つＴＣ−ＴＡ＜△’Ｔ３１０を満足すると、条件２）を満足する。
【００６２】
従って、以上の条件を満足する場合に、第２のノードのＴＴＴ又はＴ３１０タイマーが満期するのを待つ必要がなく、上記方式cの接続変換に対応する測定結果報告を直接に行う。これにより、システムは、当該測定結果に応じて、現在デュアル接続ノードのうち二つのノードの接続を切断して、接続を第１のノードの移行ターゲットノードに移行すると決定できる。
【００６３】
上記の具体的実施例において、必要に応じて閾値△ＴＴＴ、△Ｔ３１０、△’Ｔ３１０を具体的に設置することが可能である。例えば、接続変換の実行に必要な時間を参照して上記時間閾値を設置してもよく、前記閾値は、接続ノードのサービスキャリアが放送メッセージ又は専用ＲＲＣ／ＭＡＣによりモビリティ測定装置に通知される。
【００６４】
以上、測定状況が特定の条件を満足する場合に、第２のノードのタイマーが満期するのを待つことなく報告を直接に行う実施例を記述した。他の一実施例によれば、モビリティ測定装置１２０は、現在デュアル接続ノードのうち第１のノードに対してＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び前記第１のノード及び／又は前記第２のノードに対して起動したＴ３１０タイマーが所定条件を満足する場合に、第２のノードに対する当該ＴＴＴタイマーが満期するのを待つように配置されてもよい。
【００６５】
言い換えれば、一つのノードが接続変換条件を満足する場合に、第１のノードと第２のノードのタイマーが所定条件（例えば、後に具体的実施例を参照して説明する具体的条件）を満足すれば、第２のノードのタイマーが満期するのを待つ。これにより、システムは、二つのノードの当該測定結果に応じて接続変換形態を確定することができる。当該実施例により、特定の場合に二つのノードの測定結果に応じて接続変換形態をより適切に確定できることを保証してもよい。
【００６６】
一つの具体的実施例によれば、第１のノードに対してＡ３／Ａ４／Ａ５／Ｂ１／Ｂ２イベントトリガー報告条件を満足し、且つ以下の条件を満足する場合に、第２のノードに対する当該ＴＴＴタイマーが満期するのを待つ。
６.１）第２のノードの主キャリアに対して起動したＡ３／Ａ４／Ａ５／Ｂ１／Ｂ２  ＴＴＴタイマーの満期待ち時間が所定閾値より小さく、且つ
６.２）第１のノード及び／又は第２のノードに対して起動したＴ３１０タイマーの満期待ち時間が第２のノードの当該ＴＴＴタイマーの満期待ち時間よりも所定閾値以上に大きい。
【００６７】
以上の条件６.１）を満足する場合に、第２のノードに利用可能な移行ターゲットノードが存在する可能性が大きいことを表す。例えば、図７に示すように、第１のノードのＴＴＴＡタイマーが満期する時間ＴＡと第２のノードのＴＴＴタイマーＴＴＴBの予想満期時間ＴBがＴB−ＴA＜△ＴＴＴを満足するので、条件６.１）を満足する。
【００６８】
以上の条件６.２）を満足する場合に、まだ第１のノード及び／又は第２のノードのリンク障害がすぐに発生しないことを表す。例えば、図７に示すように、Ｔ３１０タイマーが（第１のノード及び／又は第２のノードに対して起動したＴ３１０タイマーであってもよい）の予想満期時間がＴCであり、且つＴC−ＴB＞△Ｔ３１０を満足すると、条件６.２）を満足する。
【００６９】
さらに、前記した第２のノードのＴＴＴタイマーが満期するのを待つ条件を満足する場合に、第２のノードのＴＴＴタイマーが満期するのを待つ過程中に第２のノードのチャネル品質が既に回復されたことで当該ＴＴＴタイマーが停止されたら、第１のノードの測定トリガーイベントに対して上記方式bに対応する測定結果報告を行うことができる。
【００７０】
言い換えれば、第１のノードが接続変換条件を満足する場合に、第２のノードのサービス品質が回復されたら、当該報告は、第１のノードがターゲットノードへの変換条件を満足し、且つ第２のノードの接続を保持できることを指示してもよい。これにより、システムは、当該測定結果に応じて、現在デュアル接続ノードのうち第２のノードの接続を保持し、第１のノードの接続をそのターゲットノードに移行して、デュアル接続状態を保持すると決定できる。
【００７１】
なお、前記した第２のノードのＴＴＴタイマーが満期するのを待つ条件を満足する場合に、第２のノードのＴＴＴタイマーが満期すると、以下の測定状況に応じて対応する報告方式を確定できる。
７.１）第１のノードと第２のノードの主キャリア測定ＴＴＴイベントのターゲットノードが異なる場合に、上記方式dに対応する測定結果報告を行う、或いはマクロノードのターゲットノードにより前記方式cに対応する測定結果報告を行い、
７.２）第１のノードと第２のノードの主キャリア測定ＴＴＴイベントのターゲットノードが同じである場合に、上記方式cに対応する測定結果報告を行う。
【００７２】
以上の場合７.１）について、二つのノードの利用可能な移行ターゲットノードが異なるので、報告は、第１のノードと第２のノードとがそれぞれ各自のターゲットノードへの条件を満足することを指示してもよい。システムは、当該測定結果に応じて、現在デュアル接続ノードのうち二つのノードの接続を切断し、接続を二つのターゲットノードに移行して、デュアル接続状態を保持すると決定し、或いは、当該測定結果に応じて、現在デュアル接続ノードのうち二つのノードの接続を切断し、接続をマクロノードのターゲットノードに移行して、シングル接続状態を保持すると決定できる。
【００７３】
以上の場合７.２）について、二つのノードの利用可能な移行ターゲットノードが同じであるので、報告は、第１のノードと第２のノードとがともに同一ターゲットノードへの変換条件を満足することを指示してもよい。これにより、システムは、当該測定結果に応じて、現在デュアル接続ノードのうち二つのノードの接続を切断し、接続を当該ターゲットノードに移行して、デュアル接続状態からシングル接続状態に変換すると決定できる。
【００７４】
また、一つの実施例によれば、第２のノードのＴＴＴタイマーが満期するのを待つ条件は、第２のノードに対する測定トリガー報告イベントがカバーに基づくモビリティトリガー報告イベントであるということを含んでもよい。言い換えれば、第１のノードのＴＴＴタイマーが満期した後に第２のノードのＴＴＴタイマーが満期するのを待つ場合には第２のノードに対する測定のみがカバーに基づくモビリティ測定であるが、第１のノードの測定がカバーに基づくモビリティ測定又は負荷に基づくモビリティ測定であってもよい。当該配置により、カバーに基づく測定報告が負荷に基づく測定報告を待つことを避けることができ、これによりモビリティ測定報告方式がより合理であるようになる。
【００７５】
上記実施例と結合して記述した測定状況に加えて、デュアル接続ノードがいずれもトリガー報告条件を満足する場合が存在する可能性がある。一つの実施例によれば、モビリティ測定装置１２０は、現在デュアル接続ノードの二つのノードの主キャリアがいずれもＡ３／Ａ４／Ａ５／Ｂ１／Ｂ２イベントトリガー報告条件を満足する場合に、二つの接続ノードの移行を行わなく、優先度の順に方式bに対応する測定結果報告を行う、或いは、方式dに応じて報告を行ってネットワークにより優先移行ノードを決定するように配置されてもよい。言い換えれば、報告は、一つのノードがターゲットノードへの変換条件を満足し、且つ他の一つのノードの接続を保持できることを指示してもよい。これにより、システムは、当該測定結果に応じて、現在デュアル接続ノードのうちどのノードの接続を保持し、他の一つノードの接続をターゲットノードに移行して、デュアル接続状態を保持すると決定できる。当該他の一つのノードについて、一定の時間を待つ、或いは、ネットワークのノード移行コマンドを受信した後に当該他の一つのノードに対して報告を行ってもよい。当該配置により、測定報告の複雑さを低減させるのに有利である。
【００７６】
具体的に、以下の原則の一つ又は複数に基づいて移行の優先順序を確定することができる。
８.１）ソースノードチャネル品質のより悪いものが優先し、
８.２）ターゲットノード信号のより良いものが優先し、
８.３）カバーに基づく測定イベントが負荷に基づく測定イベントよりも優先し、
８.４）Ｔ３１０のタイムアウトがより早いノードが優先し、
８.５）マクロ基地局ノードが低電力ノードよりも優先する。
【００７７】
以上の条件８.１）と８.２）に基づいて、チャネル品質に応じて変換方式を選択することにより、ノード変換でより良いサービス品質を実現することができる。以上の条件８.３）と８.５）に基づいて、より重要なノードを優先して移行することを保証することができる。以上の条件８.４）に基づいて、リンク障害の現れる可能性がより高いノードを優先して移行することを保証することができる。当該配置により、チャネル品質又はノードの重要度に従って前後に報告を行うことができ、これによりモビリティ測定報告方式が合理であるようになる。
【００７８】
また、マクロノードの主な作用はネットワーク接続を保持することであるが、低電力ノードの目的は主にデータ分散であることを考慮して、好ましくは、主に低電力ノードに対して負荷に基づく報告イベントを行い、カバーに基づく測定報告イベントが二つの接続ノードに対して行われる。
【００７９】
従って、一つの実施例によれば、モビリティ測定装置１２０は、低電力ノードのみに負荷に基づくイベント報告を行うように配置されてもよい。
【００８０】
特に、各種のシーケンス関係の組み合わせにおいて上記接続変換形態cと方式d（即ち、現在デュアル接続ノードのうち二つのノードの接続を切断して、接続を一つ又は二つのターゲットノードに移行する）に対応する測定報告が現れる場合に、モビリティ測定装置１２０は、新しいトリガーによりイベントを報告するか、伝統のＡ３／Ａ４／Ａ５／Ｂ１／Ｂ２のイベントを組み合わせて使用し報告を行うように配置されてもよい。なお、モビリティ測定装置１２０は、各種の報告方式、例えば、対応ノードへ対応接続ノードの測定結果を報告する（即ち、第１のノードへ第１のノードの測定結果を報告し、第２のノードへ第２のノードの測定結果を報告する）方式、二つのノードへともに各ノードの測定結果を報告する（即ち、第１のノードと第２のノードへ第１のノードと第２のノードの測定結果を報告する）方式を採用することができる。また、マクロノードのみに二つのノードの測定結果を報告する、或いは、マクロノードへ二つのノードの測定結果を報告するとともに低電力ノードにもその自身主キャリアの測定結果を報告してもよく、後で図８〜図１１を参照して説明するようである。
【００８１】
一つの実施例によれば，モビリティ測定装置１２０は、ノード変換通知シグナルを受信する前に現在デュアル接続ノードのうち一つのノードに無線リンク障害が現れ且つ既に当該ノードに対してノード移行イベント報告を行った場合に、所定時間閾を超えるのを待った後に現在デュアル接続ノードのうちの他の一つのノードを介してネットワークへ報告し、当該時間閾以内であると、ネットワークが他の一つのノードから変換通知シグナルを送信するのを待つように配置されてもよい。又は、当該他の一つのノードへ直接に報告し、当該他の一つのノードからの通知に基づいてノード移行操作を行ってもよい。
【００８２】
なお、接続ノードに対して起動したＴ３１０タイマー又はＴＴＴタイマーの状態に応じて、どのノードにより測定報告を行うか、また接続移行確認を受信するかを確定してもよい。
【００８３】
一つの実施例によれば、モビリティ測定装置１２０は、以下の場合に現在デュアル接続ノードのうち第１のノード及び／又は第２のノードを介して測定報告の送信及び接続移行確認の受信をする，即ち、以下の場合に二つのノードの何れか一つ又は二つのノードを介して測定報告を送信し及び接続移行確認を受信するように配置されててもよい。
９.１）第１のノードと第２のノードのＴ３１０タイマーの満期待ち時間がいずれも所定閾値より大きい、又は
９.２）第１のノードと第２のノードについて、Ｔ３１０タイマーの満期待ち時間がＴＴＴタイマーの満期待ち時間よりも所定閾値以上に大きい。
【００８４】
前記のように、満期待ち時間とは、現在時間とタイマーの予想満期時間との差を指す。以下、現在時間が第１のノードのＴＴＴタイマーが満期する時間であり、且つ第１のノードのＴ３１０タイマーの満期待ち時間をＴ３１０Ａで示し、第２のノードのＴ３１０タイマーの満期待ち時間をＴ３１０Bで示し、第２のノードのＴＴＴタイマーの満期待ち時間をＴＴＴBで示すとする。
【００８５】
以上の条件９.１）を満足する場合に、即ち、Ｔ３１０Ａ≧△Ａ且つＴ３１０B≧△Bである場合に、これは、二つの接続ノードについて、すぐにリンク障害が現れることがないことを表すので、二つのノードの何れか一つ又は二つのノードにより測定報告の送信と接続移行確認の受信を行うことができる。
【００８６】
以上の条件９.２）を満足する場合に、即ち、Ｔ３１０Ａ−ＴＴＴB≧△’Ａ且つＴ３１０B−ＴＴＴB≧△’Bである場合に、利用可能な移行ターゲットノードを確定したこととリンク障害が発生することの間に十分時間があることを表すので、二つのノードの何れか一つ又は二つのノードにより測定報告の送信と接続移行確認の受信を行うこともできる。
【００８７】
他の実施例によれば、モビリティ測定装置１２０は、以下の場合に、現在デュアル接続ノードのうち第１のノードを介して測定報告を送信し及び接続移行確認を受信するように配置されてもよい。
１０.１）第１のノードのＴ３１０タイマーの満期待ち時間が所定閾値より大きく、現在デュアル接続ノードのうち第２のノードのＴ３１０タイマーの満期待ち時間が所定閾値より小さい、又は
１０.２）第１のノードについて、Ｔ３１０タイマーの満期待ち時間がＴＴＴタイマーの満期待ち時間よりも所定閾値以上に大きく、且つ第２のノードについて、Ｔ３１０タイマーの満期待ち時間がＴＴＴタイマーの満期待ち時間よりも所定閾値以上に大きくない。
【００８８】
以上の条件１０.１）を満足する場合に、即ち、Ｔ３１０Ａ≧△Ａ且つＴ３１０B<△Bである場合に、これは、第１のノードにとって、すぐにリンク障害が現れることなく、第２のノードにとって、すぐにリンク障害が現れる可能性があることを表す。従って、第１のノードにより測定報告の送信と接続移行確認の受信を行うことができる。
【００８９】
以上の条件１０.２）を満足する場合に、即ち、Ｔ３１０Ａ−ＴＴＴB≧△’Ａ且つＴ３１０B−ＴＴＴB<△’Bである場合に、これは、第１のノードにとって、利用可能な移行ターゲットノードを確定したこととリンク障害が発生することの間に十分時間がある可能性があり、第２のノードにとって、利用可能な移行ターゲットノードを確定したこととリンク障害が発生することの間に十分時間がない可能性があることを表すので、第１のノードにより測定報告の送信と接続移行確認の受信を行うことができる。
【００９０】
同様に、モビリティ測定装置１２０は、以下の場合に現在デュアル接続ノードのうち第２のノードを介して測定報告を送信し及び接続移行確認を受信するように配置されてもよい。
１１.１）第２のノードのＴ３１０タイマーの満期待ち時間が所定閾値より大きく、且つ現在デュアル接続ノードのうち第１のノードのＴ３１０タイマーの満期待ち時間が所定閾値より小さい、又は
１１.２）第２のノードについて、Ｔ３１０タイマーの満期待ち時間がＴＴＴタイマーの満期待ち時間よりも所定閾値以上に大きく、且つ第１のノードについて、Ｔ３１０タイマーの満期待ち時間がＴＴＴタイマーの満期待ち時間よりも所定閾値以上に大きくない。
【００９１】
もう一つの実施例によれば、モビリティ測定装置１２０は、以下の場合に現在デュアル接続ノードのうち第１のノードと第２のノードの両者を介して測定報告を送信し及び接続移行確認を受信するように配置されてもよい。
１２.１）第１のノードと第２のノードのＴ３１０タイマーの満期待ち時間がいずれも所定閾値より小さい、或いは
１２.２）第１のノードと第２のノードについて、Ｔ３１０タイマーの満期待ち時間がＴＴＴタイマーの満期待ち時間よりも所定閾値以上に大きくない。
【００９２】
以上の条件１２.１）を満足する場合に、即ち、Ｔ３１０Ａ<△Ａ且つＴ３１０B<△Bである場合に、これは、二つの接続ノードにとって、すぐにリンク障害が現れる可能性があることを表すので、二つのノードにより測定報告の送信と接続移行確認の受信を行う必要があり、シグナル伝達の完了に成功する可能性を向上させる。
【００９３】
以上の条件１２.２）を満足する場合に、即ち、Ｔ３１０Ａ−ＴＴＴB<△’Ａ且つＴ３１０B−ＴＴＴB≧△’Bである場合に、これは、利用可能な移行ターゲットノードを確定したこととリンク障害が発生することの間に十分時間がない可能性があることを表すので、二つのノードにより測定報告の送信と接続移行確認の受信を行う必要もあり、シグナル伝達の完了に成功する可能性を向上させる。
【００９４】
上記の実施例において、必要に応じて対応時間閾値、例えば閾値△Ａ、△B、△’Ａ、△’Bを具体的に設置することができる。例えば、接続変換の実行に必要な時間を参照して上記時間閾値を設置して、所定確率でシグナル伝達の完了に成功することを保証することができる。前記閾値は、接続ノードのサービスキャリアが放送メッセージ又は専用ＲＲＣ／ＭＡＣによりモビリティ測定装置に通知される。
【００９５】
これらのシーンは独立に報告される又は同じ処理原則を応用可能な一種類のシーンとして報告されてもよい（例えば、以上のルールに従って分けた四つの場合）。具体的に、０／１ビットマップで各種の場合を標記すると、増加した情報ビットが場合の総数である。二進法で増加する情報ビットを標記すると、増加する情報が４ビット又は２ビットである。これに対応して、ネットワークはこれらの状態に対応するシーケンス関係に応じて制御フローを実行することができる。
【００９６】
続いて、図８〜図１１のシーケンス図を参照して、接続ノード変換のためのシグナル伝達の例を説明する。なお、図８と図９は、変換方式c（即ち、現在デュアル接続ノードのうち二つのノードの接続を切断し、接続を一つのターゲットノードに移行する）に対応し、図１０と図１１は、変換方式d（即ち、現在デュアル接続ノードのうち二つのノードの接続を切断し、接続を二つのターゲットノードに移行する）に対応する。
【００９７】
図８に示すように、ＵＥは、チャネル状態モニタリングの結果に応じてマクロノードへ測定報告を送信することができる。なお、前述した条件（例えば、９.１）又は９.２）、或いは１２.１）又は１２.２））を参照し、ＵＥはサブノードへ測定報告を送信することもできる。また、マクロノードも受信した測定報告をサブノードに送信してもよい。
【００９８】
その後、マクロノード及び／又はサブノードによりターゲットノードへノード変換要求を送信することができる。要求が許可された場合に、ターゲットノードは受付シグナルをマクロノード及び／又はサブノードに送信し、マクロノード及び／又はサブノードがＵＥへノード変換確認を送出する。
【００９９】
図９に示すように、例えば前述した条件（例えば、１０.１）又は１０.２）、或いは１１.１）又は１１.２））を参照し、ＵＥはチャネル状態モニタリングの結果に応じてマクロノードのみに測定報告を送信することができる。
【０１００】
そして、マクロノードによりターゲットノードへノード変換要求を送信することができる。要求が許可された場合に、ターゲットノードは受付シグナルをマクロノードに送信し、マクロノードがＵＥへノード変換確認を送出する。
【０１０１】
なお、図９の例においてマクロノードにより測定報告報告と変換確認を送信するが、サブノードが対応条件を満足する場合に、サブノードにより測定報告報告と変換確認を送信することもできる。
【０１０２】
図１０に示すように、例えば前述した条件（例えば、１０.１）又は１０.２）、或いは１１.１）又は１１.２））を参照し、ＵＥはチャネル状態モニタリングの結果に応じてソースマクロノードへ測定報告を送信することができる。
【０１０３】
その後、ソースマクロノードによりターゲットマクロノードとターゲットサブノードへノード変換要求を送出することができる。要求が許可された場合に、ターゲットマクロノードとターゲットサブノードは受付シグナルをソースマクロノードに送信し、ソースマクロノードによりＵＥへノード変換確認を送出する。
【０１０４】
図１０の例においてソースマクロノードにより測定報告報告と変換確認を送信するが、ソースサブノードが対応条件を満足する場合に、ソースサブノードにより測定報告報告と変換確認を送信することもできる。
【０１０５】
図１１に示すように、例えば前述した条件（例えば、９.１）又は９.２）或いは１２.１）又は１２.２））を参照し、ＵＥはチャネル状態モニタリングの結果に応じてソースマクロノードとソースサブノードへ測定報告を送信することができる。
【０１０６】
その後、ソースマクロノードとソースサブノードによりターゲットマクロノードとターゲットサブノードへノード変換要求を送信することができる。要求が許可された場合に、ターゲットマクロノードとターゲットサブノードは受付シグナルをソースマクロノードとソースサブノードに送信し、ソースマクロノードとソースサブノードによりＵＥへノード変換確認を送出する。
【０１０７】
以上、実施形態における電子機器を記述する過程において、幾つかの処理又は方法も開示することは明らかである。以下では、以上で検討された幾つかの細部を重複しない上でこれらの方法の概述を与える。
【０１０８】
図１２に示すように、一つの実施例による移動通信端末によりモビリティ測定を行う方法において、
デュアル接続シーンで通信する移動通信端末が現在デュアル接続ノードの少なくとも一つを介するサービス品質が所定レベルより低い場合に（S１２１０：Y）、現在デュアル接続ノードに対して接続変換形態を確定するためのモビリティ測定を行い（S１２２０）、
現在デュアル接続ノードの少なくとも一つに対する測定状況に基づいて、モビリティ測定結果の報告方式を確定する（S１２３０）。
【０１０９】
なお、接続変換形態は、前述した接続変換形態a乃至方式eの少なくとも一つを含んでもよい。
【０１１０】
一つの実施例によれば、デュアル接続ノードの一つのサービス品質が第１の閾値レベルより低い場合に、前記方式aの接続変換に対応するモビリティ測定結果を報告し、前記第１の閾値レベルがＥ−ＵＴＲＡＮ  Ａ２イベントをトリガーするための閾値レベルより低い。
【０１１１】
他の一つの実施例によれば、所定条件を満足する場合に、現在デュアル接続ノードのうち第１のノードと第２のノードの測定結果間の比較に応じてモビリティ測定報告のトリガーを確定する。
【０１１２】
具体的に、第１のノードに対する第１の測定対象は、第１のノードから受信した第１のノードに対する異周波数異システム測定対象と第１のノード接続キャリアに対する同周波数測定対象を含んでもよい。第２のノードに対する第２の測定対象は、第２のノードから受信した第２のノードに対する異周波数異システム測定対象と第２のノード接続キャリアに対する同周波数測定対象を含んでもよい。
【０１１３】
第１の測定対象と第２の測定対象に基づいてモビリティ測定をそれぞれ行うと共に、第１のノードの測定対象の測定結果と第２のノードの測定対象の測定結果とを比較して測定報告条件を満足するかどうかを判断してもよい。第１のノードへ測定報告を行う条件を満足する場合に、第２のノードの測定対象の測定結果を第１のノードに報告する。
【０１１４】
また、第１のノードが以下の条件の少なくとも一つを満足する場合に、第１のノードの測定結果と第２のノードの測定結果とを比較してＥ−ＵＴＲＡＮ  Ａ３／Ａ４／Ａ５／Ｂ１／Ｂ２イベントのトリガー条件を満足するかどうかを判断し：第１のノードと第２のノードとの少なくとも一つがＡ２イベントのトリガー条件を満足すること、第１のノードについて、異周波数測定又は異システム測定のための測定対象が存在しないこと、第１のノードの主キャリアに対して起動したＴ３１０タイマーが所定期間を超え且つまだ第１のノードに対するＡ３／Ａ４／Ａ５／Ｂ１／Ｂ２  ＴＴＴタイマーを起動しない、又は当該ＴＴＴタイマーを起動したがいずれも所定期間内で停止されたこと。
【０１１５】
また、第１の接続ノードが以下の条件の少なくとも一つを満足する場合に、第２の接続ノードの測定結果との比較を停止して、既にトリガーされた対応Ａ３／Ａ４／Ａ５／Ｂ１／Ｂ２  ＴＴＴタイマーを停止し、第１のノードの主キャリアの測定結果の比較が第１の測定対象における周波数点に限られ：第１のノードの主キャリアがＡ１イベントトリガー報告条件を満足すること、第１のノードの主キャリアがＴ３１０タイマーがタイムアウトする前にＴ３１０タイマーを停止した又はＴ３１０タイマーを起動した後に所定期間を超えない際に第１の測定対象に関するＡ３／Ａ４／Ａ５／Ｂ１／Ｂ２  ＴＴＴタイマーを起動した、又は当該ＴＴＴタイマーを起動し且つ運行時間が所定期間を超えたこと。
【０１１６】
一つの実施例によれば、方式eの接続変換に対応するモビリティ測定に対して、現在デュアル接続ノードの異周波数測定又は異システム測定の測定対象に含まれる周波数点のみに対してモビリティ測定と報告を行う。
【０１１７】
他の一つの実施例によれば、現在デュアル接続ノードのうち第１のノードがＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び／又はＴ３１０タイマーが所定条件を満足する場合に、移動通信端末が前記方式cに対応する測定結果報告を直接に行う。
【０１１８】
具体的に、以下の条件を満足する場合に、方式cに対応する測定結果報告を直接に行い：第１のノードが先にＡ３／Ａ４／Ａ５／Ｂ１／Ｂ２イベントトリガー報告条件を満足すること、この時刻で、第２のノードの主キャリアのＡ３／Ａ４／Ａ５／Ｂ１／Ｂ２  ＴＴＴタイマーの満期待ち時間が所定閾値より小さいこと、且つ第１のノードと第２のノードの測定ターゲットノードが同じであること。
【０１１９】
また、以下の条件を満足する場合に、方式cに対応する測定結果報告を直接に行い、且つ移行ターゲットノードを第１のノードのターゲットノードとして指示し：第１のノードが先にＡ３／Ａ４／Ａ５／Ｂ１／Ｂ２イベントトリガー報告の条件を満足すること、この時刻で、第２のノードの主キャリアのＡ３／Ａ４／Ａ５／Ｂ１／Ｂ２  ＴＴＴタイマーの満期待ち時間が所定閾値より小さいこと、且つこの時刻で第２のノードのＴ３１０タイマーの満期待ち時間が当該ＴＴＴタイマーの満期待ち時間よりも所定閾値以上に大きくないこと。
【０１２０】
また、以下の条件を満足する場合に、方式cに対応する測定結果報告を直接に行い、且つ移行ターゲットノードを第１のノードのターゲットノードとして指示し：第１のノードが先にＡ３／Ａ４／Ａ５／Ｂ１／Ｂ２イベントトリガー報告の条件を満足すること、この時刻で第２のノードの主キャリアのＡ３／Ａ４／Ａ５／Ｂ１／Ｂ２  ＴＴＴタイマーの満期待ち時間が所定閾値より大きいこと、且つ、この時刻で第２のノードのＴ３１０タイマーの満期待ち時間が所定閾値より小さいこと。
【０１２１】
一つの実施例によれば、現在デュアル接続ノードのうち第１のノードがＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び第１のノード及び／又は第２のノードに対して起動したＴ３１０タイマーが所定条件を満足する場合に、移動通信端末が第２のノードに対する当該ＴＴＴタイマーが満期するのを待つ。
【０１２２】
より具体的に、第１のノードがＡ３／Ａ４／Ａ５／Ｂ１／Ｂ２イベントトリガー報告条件を満足し、且つ以下の条件を満足する場合に、第２のノードに対する当該ＴＴＴタイマーが満期するのを待ち：第２のノードの主キャリアに対して起動したＡ３／Ａ４／Ａ５／Ｂ１／Ｂ２  ＴＴＴタイマーの満期待ち時間が所定閾値より小さいこと、且つ第１のノード及び／又は第２のノードに対して起動したＴ３１０タイマーの満期待ち時間が第２のノードの当該ＴＴＴタイマーの満期待ち時間よりも所定閾値以上に大きい。
【０１２３】
より具体的に、第２のノードのＴＴＴタイマーが満期するのを待つ過程中に第２のノードのチャネル品質が既に回復されたことで当該ＴＴＴタイマーが停止したら、第１のノードの測定トリガーイベントに対して方式bに対応する測定結果報告を行う。
【０１２４】
また、第２のノードのＴＴＴタイマーが満期したら、第１のノードと第２のノードの主キャリア測定ＴＴＴイベントのターゲットノードが異なる場合に、方式dに対応する測定結果報告を行い、第１のノードと第２のノードの主キャリア測定ＴＴＴイベントのターゲットノードが同じである場合に、方式cに対応する測定結果報告を行う。
【０１２５】
また、第２のノードのＴＴＴタイマーが満期するのを待つ条件は、第２のノードに対する測定トリガー報告イベントがカバーに基づくモビリティトリガー報告イベントであることをさらに含んでもよい。
【０１２６】
一つの実施例によれば、現在デュアル接続ノードの二つのノードの主キャリアがいずれもＡ３／Ａ４／Ａ５／Ｂ１／Ｂ２イベントトリガー報告条件を満足する場合に、以下の原則の一つ又は複数に基づいて報告優先順序を確定して方式bに対応する測定結果報告を行い：ソースノードチャネル品質のより悪いものが優先すること、ターゲットノード信号のより良いものが優先すること、カバーに基づく測定イベントが負荷に基づく測定イベントよりも優先すること、Ｔ３１０のタイムアウトのより早いノードが優先すること、マクロ基地局ノードが低電力ノードよりも優先すること。
【０１２７】
好ましくは、低電力ノードのみに負荷に基づくイベント報告を行ってもよい。
【０１２８】
一つの実施例によれば、ノード変換通知シグナルを受信する前に現在デュアル接続ノードのうち一つのノードに無線リンク障害が現れると、以下のルールの一つに応じて操作し：所定時間閾を超えるのを待った後に現在デュアル接続ノードの他の一つのノードを介してネットワークへ報告し、時間閾以内であるとネットワークが他の一つのノードから変換通知シグナルを送信するのを待つこと、直接に当該他の一つのノードへ報告し、他の一つのノードからの通知に基づいてノード移行操作を行うこと。
【０１２９】
他の一つの実施例によれば、以下の場合に、現在デュアル接続ノードのうち第１のノード及び／又は第２のノードを介して測定報告の送信及び接続移行確認の受信をする：第１のノードと第２のノードのＴ３１０タイマーの満期待ち時間がいずれも所定閾値より大きいこと、又は第１のノードと第２のノードについて、Ｔ３１０タイマーの満期待ち時間がＴＴＴタイマーの満期待ち時間よりも所定閾値以上に大きいこと。
【０１３０】
他の一つの実施例によれば、以下の場合に、現在デュアル接続ノードのうち第１のノードを介して測定報告の送信及び接続移行確認の受信をする：第１のノードのＴ３１０タイマーの満期待ち時間が所定閾値より大きく、且つ現在デュアル接続ノードのうち第２のノードのＴ３１０タイマーの満期待ち時間が所定閾値より小さいこと、又は第１のノードについて、Ｔ３１０タイマーの満期待ち時間がＴＴＴタイマーの満期待ち時間よりも所定閾値以上に大きく、且つ第２のノードについて、Ｔ３１０タイマーの満期待ち時間がＴＴＴタイマーの満期待ち時間よりも所定閾値以上に大きくないこと。
【０１３１】
他の一つの実施例によれば、以下の場合に、現在デュアル接続ノードのうち第１のノードと第２のノードの両者を介して測定報告の送信及び接続移行確認の受信をする：第１のノードと第２のノードのＴ３１０タイマーの満期待ち時間がいずれも所定閾値より小さいこと、又は第１のノードと前記第２のノードについて、Ｔ３１０タイマーの満期待ち時間がＴＴＴタイマーの満期待ち時間よりも所定閾値以上に大きいこと。
【０１３２】
一つの例として、上記方法の各ステップと上記装置の各組立モジュール及び／又はユニットは、ソフトウェア、ファームウエア、ハードウェア或いはその組み合わせとして実施できる。ソフトウェア或いはファームウエアで実現する場合、記憶媒体或いはネットワークから専用ハードウェア構造を有するコンピュータ（例えば図１３に示す汎用コンピュータ１３００）に、上記方法を実施するためのソフトウェアを構成するプログラムをインストールし、当該コンピュータは各種のプログラムがインストールされている場合、各種の機能等を実行できる。ソフトウェアで上記装置を実現する場合に、ソフトウェア設計により装置に対する配置を実現し、ハードウェアで上記装置を実現する場合に、ハードウェア設計或いは組み合わせにより装置に対するを配置を実現し、ソフトウェアとハードウェアとの結合により上記装置を実現する場合に、ハードウェア／ソフトウェアの結合設計により装置に対するを配置を実現してもよい。
【０１３３】
図１３において、演算処理ユニット（即ち、ＣＰＵ）１３０１は、読取専用メモリ（ＲＯＭ）１３０２に記憶されているプログラム或いは記憶部１３０８からランダムアクセスメモリ（ＲＡＭ）１３０３にロードしたプログラムに基づいて各種の処理を実行する。ＲＡＭ１３０３にも、必要に応じてＣＰＵ１３０１が各種の処理等を実行する際に必要なデータが記憶される。ＣＰＵ１３０１、ROＭ１３０２、ＲＡＭ１３０３はバス１３０４を介して互いに接続されている。入力／出力インターフェース１３０５もバス１３０４に接続されている。
【０１３４】
入力部１３０６（キーボード、マウス等を含む）、出力部１３０７（ディスプレイ、例えば陰極線管（ＣＲＴ）、液晶ディスプレイ（ＬＣＤ）等、スピーカ等を含む）、記憶部１３０８（ハードディスク等を含む）、通信部１３０９（ネットワークインターフェースカード例えばＬＡＮカード、モデム等を含む）が入力／出力インターフェース１３０５に接続される。通信部１３０９は、ネットワーク、例えばインターネットを介して通信処理を実行する。必要に応じて、ドライバー１３１０も入力／出力インターフェース１３０５に接続される。リムーバブルメディア１３１１、例えばディスク、光ディスク、光磁気ディスク、半導体メモリ等は、必要に応じてドライバー１３１０に装着され、その中から読み出したコンピュータプログラムが必要に応じて記憶部１３０８にインストールされるようになる。
【０１３５】
ソフトウェアで上記一連の処理を実現する場合、ネットワーク、例えばインターネット或いは記憶装置、例えばリムーバブルメディア１３１１からソフトウェアを構成するプログラムをインストールする。
【０１３６】
当業者にとって、この種の記憶媒体は、図１３に示す、その中にプログラムが記憶され装置に別途配分してユーザにプログラムを提供するリムーバブルメディア１３１１に限定されないことが分かる。リムーバブルメディア１３１１の例は、磁気ディスク（フロッピーディスク（登録商標））、光ディスク（光ディスク読取専用メモリ（ＣＤ−ROM）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１３０２、記憶部１３０８に含まれるハードディスク等であってもよく、その中にプログラムが記憶され、且つこれらを含む装置と一緒にユーザに配分される。
【０１３７】
本発明の実施例は、機器読み取り可能な指令コードが記憶されたプログラム製品にも関する。上記指令コードが機器に読み取られて実行される場合に、上記の本発明の実施例による方法を実行できる。
【０１３８】
これに対応して、上記の機器読み取り可能な指令コードが記憶されたプログラム製品がロードされた記憶媒体も本開示の開示に含まれる。上記記憶媒体は、フロッピーディスク、光ディスク、光磁気ディスク、メモリカード、メモリスティックを含むが、これらに限定されない。
【０１３９】
本発明の実施例は、さらに電子機器が含まれている。当該電子機器は、デュアル接続シーンで通信する移動通信端末が現在デュアル接続ノードの少なくとも一つを介するサービス品質が所定レベルより低い場合に現在デュアル接続ノードに対して接続変換形態を確定するためのモビリティ測定を行うように配置される回路を含む。当該回路は、さらに、現在デュアル接続ノードの少なくとも一つに対する測定状況に基づいてモビリティ測定結果の報告方式を確定するように配置される。
【０１４０】
以上、本発明の具体的実施例の記述において、一種の実施方式に記述された及び／又は示された特徴は同じ或いは類似の方式により一つ又は複数の他の実施形態に使用され、他の実施形態における特徴と組み合わる、又は他の実施形態における特徴を代替することができる。
【０１４１】
なお、用語「含む／含有」を本文で使用される際に、特徴、要素、ステップ或いはモジュールの存在を指し、一つ或いは複数の他の特徴、要素、ステップ或いはモジュールの存在或いは付加を排除しない。
【０１４２】
上記の実施例と例示において、数字からなる符号で各ステップ及び／又はユニットを示した。当業者にとって、これらの符号は説明と図面を容易にするためであり、その順又はいかなる他の限定を示すものではないことが分かる。
【０１４３】
また、本発明の方法は、明細書に記述した時間順序で実行されることに限定されず、他の時間順序で並行或いは独立に実行されてもよい。よって、本明細書に記述の方法の実行順序は、本開示の技術範囲を限定しない。
【０１４４】
以上、本開示の具体的実施例の記述によって本開示を説明したが、これは、例示であって、限定ではない。当業者は、請求項の主旨と範囲内で本発明に対する各種の修正、改善、或いは均等物を設計できる。これらの修正、改善、或いは均等物も、本発明の保護範囲に含まれる。
【図１】
2017523618.tif 000003
【図２】
2017523618.tif 000004
【図３】
2017523618.tif 000005
【図４】
2017523618.tif 000006
【図５】
2017523618.tif 000007
【図６】
2017523618.tif 000008
【図７】
2017523618.tif 000009
【図８】
2017523618.tif 000010
【図９】
2017523618.tif 000011
【図１０】
2017523618.tif 000012
【図１１】
2017523618.tif 000013
【図１２】
2017523618.tif 000014
【図１３】
2017523618.tif 000015
【誤訳訂正書】
【提出日】平成29年7月6日(2017.7.6)
【誤訳訂正１】
【訂正対象書類名】特許請求の範囲
【訂正対象項目名】全文
【訂正方法】変更
【訂正の内容】
【特許請求の範囲】
【請求項１】
無線通信システムにおける電子機器であって、
異なるキャリアにより二つの接続ノードのそれぞれとデュアル接続通信を行うように配置される通信装置と、
現在デュアル接続ノードの少なくとも一つの接続サービス品質が所定レベルより低い場合に、現在デュアル接続のうち接続ノードに対して、接続変換形態を確定するためのモビリティ測定を行い、
前記現在デュアル接続ノードの少なくとも一つに対する測定状況に応じて、モビリティ測定結果の報告方式を確定するように配置されるモビリティ測定装置とを含む電子機器。
【請求項２】
前記モビリティ測定は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるセカンダリキャリアを調整する方式e、という接続変換形態の一つを確定するように配置されるモビリティ測定を含む請求項１に記載の電子機器。
【請求項３】
前記モビリティ測定装置は、現在デュアル接続ノードの一つの主キャリアのサービス品質が第１の閾値レベルより低い場合に、前記方式aの接続変換に対応するモビリティ測定結果を報告するように配置され、前記第１の閾値レベルがＥ−ＵＴＲＡＮ  Ａ２イベントをトリガーするための閾値レベルより高くない請求項２に記載の電子機器。
【請求項４】
前記モビリティ測定装置は、前記方式eの接続変換に対応するモビリティ測定について、現在デュアル接続ノード各自の異周波数測定又は異システム測定の測定対象に含まれる周波数のみに対して前記モビリティ測定と報告を行うように配置される請求項２に記載の電子機器。
【請求項５】
前記モビリティ測定装置は、現在デュアル接続ノードのうち第１のノードがＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うように配置される請求項２に記載の電子機器。
【請求項６】
前記モビリティ測定装置は、現在デュアル接続ノードの二つのノードの主キャリアがいずれもＡ３、Ａ４、Ａ５、Ｂ１又はＢ２イベントトリガー報告条件を満足する場合に、以下の原則の一つ又は複数に基づいて報告優先順序を確定し、前記方式bに対応する測定結果報告を行い、
前記以下の原則は、
ソースノードチャネル品質のより悪いものが優先すること、
ターゲットノード信号のより良いものが優先すること、
カバーに基づく測定イベントが負荷に基づく測定イベントよりも優先すること、
Ｔ３１０のタイムアウトのより早いノードが優先すること、
マクロ基地局ノードが低電力ノードよりも優先することである請求項２に記載の電子機器。
【請求項７】
前記モビリティ測定装置は、ノード変換通知シグナルを受信する前に現在デュアル接続ノードのうち一つのノードに無線リンク障害が現れると、以下のルールの一つに応じて操作するように配置され、
前記以下のルールは、
所定時間を超えるのを待った後に現在デュアル接続ノードの他の一つのノードを介してネットワークへ報告し、前記所定時間以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１に記載の電子機器。
【請求項８】
前記モビリティ測定装置は、以下の場合に、現在デュアル接続ノードのうち第１のノード及び／又は第２のノードへ測定報告を送信し、前記第１のノード及び／又は第２のノードから接続移行確認を受信するように配置され、
前記以下の場合は、
前記第１のノードと前記第２のノードのＴ３１０タイマーの満期待ち時間がいずれも所定閾値より大きいこと、又は
前記第１のノードと前記第２のノードについて、Ｔ３１０タイマーの満期待ち時間がＴＴＴタイマーの満期待ち時間よりも所定閾値以上に大きいことである請求項１に記載の電子機器。
【請求項９】
前記モビリティ測定装置は、以下の場合に、現在デュアル接続ノードのうち第１のノードへ測定報告の送信及び接続移行確認の受信をするように配置され、
前記以下の場合は、
前記第１のノードのＴ３１０タイマーの満期待ち時間が所定閾値より大きく、現在デュアル接続ノードのうち第２のノードのＴ３１０タイマーの満期待ち時間が所定閾値より小さいこと、又は
前記第１のノードに対して、Ｔ３１０タイマーの満期待ち時間がＴＴＴタイマーの満期待ち時間よりも所定閾値以上に大きく、且つ前記第２のノードに対して、Ｔ３１０タイマーの満期待ち時間がＴＴＴタイマーの満期待ち時間よりも所定閾値以上に大きくないことである請求項１に記載の電子機器。
【請求項１０】
無線リンク障害がある前記現在デュアル接続ノードの１つはセカンダリノードであり、他のノードはマクロノードであり、前記モビリティ測定装置は、マクロノードにのみ報告するように構成される、請求項７に記載の電子機器。
【請求項１１】
前記マクロノードは、前記電子機器に前記通知を提供する前に、ノード変換要求をターゲットノードに送信し、前記ターゲットノードからノード変換確認を受信する、請求項１０に記載の電子機器。
【請求項１２】
前記電子機器はユーザ装置に対応する、請求項１に記載の電子機器。
【請求項１３】
移動通信端末によりモビリティ測定を行う方法であって、
デュアル接続シーンで通信する前記移動通信端末が現在デュアル接続ノードの少なくとも一つを介したサービス品質が所定レベルより低い場合に、前記現在デュアル接続ノードに対して、接続変換形態を確定するためのモビリティ測定を行うステップと、
前記現在デュアル接続ノードの少なくとも一つに対する測定状況に応じて、モビリティ測定結果の報告方式を確定するステップとを含む方法。
【請求項１４】
前記接続変換形態は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるセカンダリキャリアを調整する方式e、という接続変換形態の少なくとも一つを含む請求項１３に記載の方法。
【請求項１５】
ノード変換通知を受信する前に現在デュアル接続ノードのうち一つのノードに無線リンク障害が現れると、以下のルールの一つに応じて操作するステップをさらに含み、
前記以下のルールは、
所定時間を超えるのを待った後に現在デュアル接続ノードの他の一つのノードを介してネットワークへ報告し、前記所定時間以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１３に記載の方法。
【請求項１６】
無線リンク障害がある前記現在デュアル接続ノードの１つはセカンダリノードであり、他のノードはマクロノードであり、モビリティ測定装置は、マクロノードにのみ報告するように構成される、請求項１５に記載の方法。
【請求項１７】
前記マクロノードは、電子機器に前記通知を提供する前に、ノード変換要求をターゲットノードに送信し、前記ターゲットノードからノード変換確認を受信する、請求項１６に記載の方法。
【請求項１８】
さらに前記方法は、現在デュアル接続ノードの一つの主キャリアのサービス品質が第１の閾値レベルより低い場合に、前記方式aの接続変換に対応するモビリティ測定結果を報告するステップ、を含み、前記第１の閾値レベルはＥ−ＵＴＲＡＮ  Ａ２イベントをトリガーするための閾値レベルより高くない請求項１４に記載の方法。
【請求項１９】
さらに前記方法は、前記方式eの接続変換に対応するモビリティ測定について、現在デュアル接続ノード各自の異周波数測定又は異システム測定の測定対象に含まれる周波数のみに対して前記モビリティ測定と報告を行うステップを含む、請求項１４に記載の方法。
【請求項２０】
さらに前記方法は、現在デュアル接続ノードのうち第１のノードがＡ３、Ａ４、Ａ５、Ｂ１又はＢ２イベントのトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うステップを含む、請求項１４に記載の方法。
【誤訳訂正２】
【訂正対象書類名】明細書
【訂正対象項目名】全文
【訂正方法】変更
【訂正の内容】
【発明の詳細な説明】
【技術分野】
【０００１】
本開示は、無線通信分野に関し、具体的に、無線通信システムにおける電子機器及び移動通信端末によりモビリティ測定を行う方法に関する。
【背景技術】
【０００２】
現在、ＬＴＥ（ロング・ターム・エボリューション）／ＬＴＥ−Ａ（ロング・ターム・エボリューションアドバンスト）システムにおいて、
サービスセル品質が一つの絶対閾より高く、行っている周波数間測定を停止するためと測定ギャップ（Ｇａｐ）を不活性化するためのＡ１イベントと、
サービスセル品質が一つの絶対閾より低く、周波数間測定を開くためと測定ギャップを活性化するためのＡ２イベントと、
隣接セルがメインサービスセル品質よりも一つの絶対閾だけ高く、周波数内／周波数間でカバーに基づく切り替えのためのＡ３イベントと、
隣接セル品質が一つの絶対閾より高く、主に、負荷に基づく切り替えのためのＡ４イベントと、
メインサービスセル品質が一つの絶対閾１より低く、且つ隣接セル品質が一つの絶対閾２より高く、周波数内／周波数間でカバーに基づく切り替えのためのＡ５イベントと、
隣接セルが補助サービスセル品質よりも一つの絶対閾だけ高く、周波数間でカバーに基づくセカンダリキャリアの調整のためのＡ６イベントと、
異システム間隣接セル品質が一つの絶対閾より高く、負荷に基づく切り替えのためのＢ１イベントと、
サービスセル品質が一つの絶対閾１より低く且つ異システム間隣接セル品質が一つの絶対閾２より高く、カバーに基づく切り替えのためのＢ２イベント、のような測定イベントが定義されている。
その中、Ａ１／Ａ２イベントが端末の閉鎖又は異周波数測定のトリガー、Ａ３／Ａ５／Ｂ２がカバーに基づくシステム内とシステム間の切り替え、Ａ６がキャリアアグリゲーションシーンでカバーに基づくセカンダリキャリア調整、Ａ４／Ｂ１イベントが負荷に基づくシステム内とシステム間の切り替えに用いられてもよい。
【発明の概要】
【発明が解決しようとする課題】
【０００３】
デュアル接続のシーンで、端末は二つの理想的バックホール（ｉｄｅａｌ  ｂａｃｋｈａｕｌ）がない基地局と同時に接続し、そのモビリティシーンがｉｄｅａｌ  ｂａｃｋｈａｕｌキャリアアグリゲーションのデュアル基地局接続又はシングル基地局接続よりも複雑となっている。従って、上記デュアル接続シーンについて、本開示の実施例を提案している。
【０００４】
以下、本開示の実施例に関する簡単な概説を示して、本開示のある局面に関する基本的理解を提供する。なお、この概説が本開示に関する取り尽くし的概説ではないと理解すべきである。それは、本開示の肝心又は重要部分を意図的に特定することではなく、本開示の範囲を意図的に限定することでもない。その目的は、簡潔の形式で、ある概念を提供して、後に論述するより詳しい技術の前述とするものである。
【０００５】
本開示の一局面によれば、無線通信システムにおける電子機器を提供する。当該電子機器は、通信装置とモビリティ測定装置を含む。通信装置は、異なるキャリアにより二つの接続ノードのそれぞれとデュアル接続通信を行うように配置される。モビリティ測定装置は、現在デュアル接続ノードの少なくとも一つの接続サービス品質が所定レベルより低い場合に、現在デュアル接続における接続ノードに対して、接続変換形態を確定するためのモビリティ測定を行うように配置される。モビリティ測定装置は、さらに現在デュアル接続ノードの少なくとも一つに対する測定状況に応じて、モビリティ測定結果の報告方式を確定するように配置される。
【０００６】
本開示の他の局面によれば、移動通信端末によりモビリティ測定を行う方法を提供する。当該方法は、デュアル接続シーンで通信する移動通信端末が現在デュアル接続ノードの少なくとも一つを介するサービス品質が所定レベルより低い場合に、現在デュアル接続ノードに対して接続変換形態を確定するためのモビリティ測定を行うステップを含む。当該方法は、現在デュアル接続ノードの少なくとも一つに対する測定状況に応じて、モビリティ測定結果の報告方式を確定するステップをさらに含む。
【０００７】
本開示の実施例により、デュアル接続の測定報告の効率を最適化するのに有利である。
【図面の簡単な説明】
【０００８】
本発明は、以下の図面に基づいて説明する記述を参照することにより、より容易に理解できる。なお、全ての図面において、同じ或いは類似の符号を用いて同じ或いは類似の部品を示す。これらの図面は、以下の詳細な説明と共に本明細書に含まれ且つ本明細書の一部を形成し、そして、さらに例を挙げて本発明の好適な実施例を説明し、本発明の原理と利点を解釈するためのものである。 
【図１】本開示の一実施例に基づく電子機器の配置の例を示すブロック図である。
【図２】接続変換形態を説明するための模式図である。
【図３】Ｔ３１０タイマーとＴＴＴタイマーのシーケンス関係の例を説明するための模式図である。
【図４】ＴＴＴタイマーのシーケンス関係の例を説明するための模式図である。
【図５】ＴＴＴタイマーとＴ３１０タイマーのシーケンス関係の例を説明するための模式図である。
【図６】ＴＴＴタイマーとＴ３１０タイマーのシーケンス関係の例を説明するための模式図である。
【図７】ＴＴＴタイマーとＴ３１０タイマーのシーケンス関係の例を説明するための模式図である。
【図８】接続ノード変換のためのシグナル伝達の例を説明するための模式図である。
【図９】接続ノード変換のためのシグナル伝達の例を説明するための模式図である。
【図１０】接続ノード変換のためのシグナル伝達の例を説明するための模式図である。
【図１１】接続ノード変換のためのシグナル伝達の例を説明するための模式図である。
【図１２】本開示の他の一実施例に基づく方法のプロセスの例を示すフローチャートである。
【図１３】本開示を実現する方法と機器のコンピューターの例示的構成のブロック図である。
【発明を実施するための形態】
【０００９】
以下、図面を参照しながら、本開示の実施例を説明する。本発明の一つの図面或いは実施形態で記述する要素と特徴は、一つ或いは複数の他の図面或いは実施形態で記述する要素と特徴とを組み合わせることができる。なお、明確のために、図面と説明で本開示と関係なく、当業者にとって既知の部材と処理の表示と記述を省略した。
【００１０】
本開示内容の技術は各種の製品に応用することができる。例えば、基地局は、何らかのタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、何らかの他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【００１１】
例えば、電子機器は移動端末（例えばスマートフォン、タブレットパソコンコンピューター（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能である。端末装置３００は、マシンツーマシン（Ｍ２Ｍ）通信を実行する端末（マシン型通信（ＭＴＣ）端末とも称する）として実現されることが可能である。また、電子機器１００は、上記端末における端末ごとに取り付けられた無線通信モジュール（例えば単一のチップの集成回路モジュール）であってもよい。
【００１２】
図１に示すように、本開示の一つの実施例に基づく無線通信システムにおける電子機器１００は、通信装置１１０とモビリティ測定装置１２０とを含む。
【００１３】
通信装置１１０は、異なるキャリアにより二つの接続ノードにそれぞれデュアル接続通信を行うように配置される。
【００１４】
例えば、図２の模式図に示すように、電子機器Ｕ１は、その通信装置により二つの接続ノードＭ１とＳ１にそれぞれデュアル接続通信を行うことが可能である。
【００１５】
モビリティ測定装置１２０は、現在デュアル接続ノードのうち少なくとも一つの接続サービス品質が所定レベルより低い場合に、現在デュアル接続のうち接続ノードに対して、接続変換形態を確定するためのモビリティ測定を行うように配置される。なお、モビリティ測定装置１２０は、さらに、現在デュアル接続ノードのうち少なくとも一つに対する測定状況に応じて、モビリティ測定結果の報告方式を確定するように配置される。
【００１６】
本文では、「測定状況」は、測定結果そのもの（例えば、リファレンス信号受信電力（ＲＳＲＰ）、リファレンス信号受信品質（ＲＳＲＱ）等）を含んでよく、他の測定状況、例えば対応接続ノードにに対して測定リストが存在するかどうか、及び起動した対応Ｔ３１０タイマー及び／又はＴＴＴタイマーの状態等を含んでもよい。後に具体的実施例と結合して記述するように、モビリティ測定装置１２０は測定状況に応じて異なるモビリティ測定結果報告方式を相応に確定することができ、これにより、デュアル接続の測定報告の効率を最適化するのに有利である。
【００１７】
一つの実施例によれば、モビリティ測定は、
現在デュアル接続ノードのうち一つのノードの接続を切断して、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行し、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、それぞれ接続ノードにおけるセカンダリキャリアを調整する方式e、という接続変換形態の一つを確定するように配置されるモビリティ測定を含むことができる。
【００１８】
以下、図２の模式図と結合して、上記の接続変換形態の例をより直感的に説明する。
【００１９】
マクロ基地局Ｍ２及びスモールセル基地局Ｓ４とデュアル接続を行うデバイスＵ４は、接続ノードの一つ、例えばスモールセル基地局Ｓ４との接続を切断し、且つ他の一つの接続ノード、例えばマクロ基地局Ｍ２との接続を保持することができ、当該接続変換形態が上記方式aに対応する。他の例において、方式aは、マクロ基地局との接続を切断してスモールセル基地局との接続を保持する場合を含んでもよい。
【００２０】
マクロ基地局Ｍ１及びスモールセル基地局Ｓ２とデュアル接続を行うデバイスＵ３は、接続ノードの一つ、例えばスモールセル基地局Ｓ２との接続を切断してスモールセル基地局Ｓ３との接続に変換することができ、当該接続変換形態が上記方式bに対応する。他の例において、方式bは、ソースマクロ基地局との接続をターゲットマクロ基地局との接続に変換する場合を含んでもよい。
【００２１】
マクロ基地局Ｍ２及びスモールセル基地局Ｓ５とデュアル接続を行うデバイスＵ５は、マクロ基地局Ｍ２及びスモールセル基地局Ｓ５との接続を切断してマクロ基地局Ｍ１との接続に変換することができ、当該接続変換形態が上記方式cに対応する。他の例において、方式cは、元のデュアル接続をターゲットスモールセル基地局との接続に変換する場合を含んでもよい。
【００２２】
マクロ基地局Ｍ３及びスモールセル基地局Ｓ６とデュアル接続を行うデバイスＵ２は、マクロ基地局Ｍ３及びスモールセル基地局Ｓ６との接続を切断して、マクロ基地局Ｍ２及びスモールセル基地局S７とのデュアル接続に変換することができ、当該接続変換形態が上記方式dに対応する。
【００２３】
特に、変換方式aについて、ターゲットノードの比較を行う必要がなく、当該変換のトリガー誘因が、例えば単一のノードの主キャリアに無線リンク障害（ＲＬＦ）が現れたこと、又はその主キャリアＲＳＲＰ／ＲＳＲＱモビリティ測定結果がある閾より低いことである。後者の場合に、Ｅ−ＵＴＲＡＮ  Ａ２イベントと方式aに対するトリガーイベントを区分し、例えば方式aに対するトリガーイベントを専門に定義してもよい。
【００２４】
一つの実施例によれば、モビリティ測定装置１２０は、現在デュアル接続ノードの一つのサービス品質が第１の閾値レベルより低い場合に、上記方式aの接続変換に対応するモビリティ測定結果を報告するように配置されてもよい。その中、第１の閾値レベルは、Ａ２イベントをトリガーするための閾値レベルより高くない。
【００２５】
上記の配置により、Ａ２イベントが異周波数測定をトリガーする条件が方式aの接続変換のトリガー条件よりも緩やかとなるようにするので、例えばＡ２イベントのトリガー時間が方式aの接続変換のトリガー時間よりも早いであってもよい。必要に応じて第１の閾値レベルを具体的に設置することで、Ａ２イベントのトリガーと方式aの接続変換のトリガー条件との間隔を適切に確定することもできる。
【００２６】
より具体的に、Ａ２イベントの定義に加えて、デュアル接続ユーザーがその中の一つの接続ノードを活性化するための一つのオフセット閾をさらに増加し、例えばネットワークから端末へ当該オフセット閾情報を放送してもよい。又は、Ａ２イベントのパラメータ定義を倣い、ネットワークから端末へ、デュアル接続ユーザーがその中の一つの接続ノードを活性化するパラメータをセットに放送してもよい。上記の二つの例の方式によれば、方式aの接続変換のための独立のトリガー報告イベントを設計するか、Ａ２イベント報告をそのまま使い方式aの接続変換を満足する報告トリガー条件の例えばＲＳＲＰ／ＲＳＲＱ測定結果を携帯してもよく、ネットワークがノードを不活性化する操作を判断する。
【００２７】
デュアル接続シーンについて、従来の測定報告ルールを使用する場合に、カバーに基づく測定トリガーは以下通りの挑戦に臨む。
【００２８】
依然として、図２の模式図を例として、Ｕ１とＵ３は、超密集スモールセル配置のシーンでデュアル接続データ伝送を行い、スモールセル間の強干渉を避けるために、隣り合うスモールセルが異なる周波数帯域を使用することができ、これらのスモールセルがマクロ基地局から遠い場合に、端末装置が二つの異周波数のカバーするスモールセルの重なり合い領域まで移動して異周波数測定を行う場合に、マクロセルと低電力ノードセルがターゲット測定スモールセルに対してＡ３〜Ａ６又はＢ１〜Ｂ２イベントを同時に満足する場合が頻繁に現れる可能性があり、そして、マクロ基地局及び／又は低電力ノードにそれぞれ報告する。しかしながら、端末がマクロセルのカバー範囲内であるので、マクロノード変換操作を行う必要がなく、このように、低電力ノードのサービスキャリアとマクロ基地局のサービスキャリアを比較することで不必要なモビリティ測定報告のためのリソース消費が現れることを招く。
【００２９】
また、Ｕ５がマクロセルのカバーするエッジにあるので、ターゲットマクロセル（Ｍ１）と現在デュアル接続セル（Ｍ２とＳ５）とがともにＡ３／Ａ５イベントを満足する。Ｕ２が同時に二つのマクロセル（Ｍ３とＭ２）のエッジと二つのスモールセル（Ｓ６とS７）のエッジにあるので、ソースマクロセルがターゲットマクロセルとターゲットスモールセルのＡ３／Ａ５イベントを満足すれば、デュアル接続中に二つの接続ノードの主キャリアモビリティ測定イベントトリガー時点が異なる可能性があり、それぞれ報告し且つ報告隣接時間が短い場合に、単独に実行する接続ノード移行操作シグナルインタラクティブ及びデータ伝達がより複雑化される可能性がある。従って、これらのシーンに対して単独のトリガーイベントを形成して、例えば図３に示すユーザー側データの伝送構造とフローに対して操作過程の全体を簡素化させる必要がある。
【００３０】
一つの実施例によれば，モビリティ測定装置１２０は、二つの接続ノードに対してそれぞれモビリティ測定を行い、そして、所定条件を満足する場合に、現在デュアル接続ノードのうち第１のノードと第２のノードの測定対象に対する測定結果間の比較に応じてモビリティ測定報告のトリガーを確定するように配置されてもよい。
【００３１】
続いて、具体的実施例と結合して、現在デュアル接続ノードにおける測定対象に対する測定結果間の比較に応じてモビリティ測定報告トリガーを確定する方式について説明する。
【００３２】
一つの具体的実施例によれば、モビリティ測定装置１２０が第１のノードに対する第１の測定対象は、第１のノードから受信する、第１のノードに対する異周波数異システム測定対象と第１のノード接続キャリアに対する同周波数測定対象を含んでもよい。同様に、モビリティ測定装置１２０が第２のノードに対する第２の測定対象は、第２のノードから受信する、第２のノードに対する異周波数異システム測定対象と第２のノード接続キャリアに対する同周波数測定対象を含んでもよい。例えば、異なる接続ノードに対する異周波数／異システム測定リストに応じて対応するノードの測定対象を確定してもよい。
【００３３】
これに対応して、モビリティ測定装置１２０は、第１の測定対象と第２の測定対象に基づいてそれぞれモビリティ測定を行い、第１の測定対象の測定結果と第２の測定対象の測定結果を比較して測定報告条件を満足するかどうかを判断するように配置されてもよい。第１のノード又は第２のノードのキャリアが測定イベントトリガー報告を満足する条件で、これらの測定対象の測定結果及び／又は測定比較結果を報告する。なお、測定結果及び／又は測定比較結果は、当該測定対象に対応するノードのみに、又はマクロノードのみに報告、或いは二つの接続ノードに報告してもよい。
【００３４】
デュアル接続シーンにおいて、何れかの接続ノードの何れかのキャリアがＡ２イベントを満足して報告した後、ネットワークは端末装置に当該ノードに対する異周波数測定を配置する可能性がある。一方、第１の接続ノード内にキャリアの同周波数測定結果が第２の接続ノードの異周波数測定結果とみなし、第１の接続ノードの（同システム又は異システム）異周波数測定結果も第２の接続ノードの異周波数測定結果とみなしてもよく、逆に、同様である。本実施例によれば、二つの接続ノードのモビリティ測定結果を参照して測定結果の報告を合理的に行うことで、例えば二つの接続ノードの測定対象が同一のターゲットノードを含む場合に発生する重複内容の報告を避けることができる。従って、不必要のＡ３／Ａ４／Ａ５／Ａ６／Ｂ１／Ｂ２イベントのトリガー報告を頻繁に行うことを避け、デュアル接続の測定報告トリガーの数を最適化することができる。
【００３５】
他の一つの具体的実施例によれば、モビリティ測定装置１２０は、第１のノードが以下の条件の少なくとも一つを満足する場合に、第１のノードの測定結果と第２のノードの測定結果と比較してＥ−ＵＴＲＡＮ  Ａ３／Ａ４／Ａ５／Ｂ１／Ｂ２イベントのトリガー条件を満足するかどうかを判断するように配置されてもよい。
１.１）第１のノードと第２のノードの少なくとも一つがＡ２イベントのトリガー条件を満足し、
１.２）第１のノードについて、異周波数測定又は異システム測定のための測定対象が存在せず、
１.３）第１のノードの主キャリアに対して起動したＴ３１０タイマーが所定期間を超え且つ第１の測定対象に対するＡ３／Ａ４／Ａ５／Ｂ１／Ｂ２  ＴＴＴタイマーがまだ起動しない、又は当該ＴＴＴタイマーが起動したが所定期間内で停止される。
【００３６】
ここで、あるノードの測定結果とは、当該ノードに対して行うモビリティ測定の結果を指し、当該ノードに関する測定対象（例えば第１の測定対象）に発射する信号を測定した結果を含んでもよい。前記のように、ノードから受信した当該ノードについての異周波数異システム測定対象の情報と当該ノード接続キャリアについての同周波数測定対象の情報に応じて当該ノードの測定対象を確定することができる。
【００３７】
上記条件１.１）について、デュアル接続ノードのうち一つのノードのサービス品質がＡ２イベント閾より低い場合に、第１のノードの測定結果と第２のノードの測定結果との比較を直接に行うことができる。
【００３８】
上記条件１.２）について、例えばデュアル接続ノードのうち一つのノードがモビリティ測定リストを有しない場合に、測定結果の比較を直接に行うことができ、これにより、他の一つのノードに対する測定対象の測定結果を利用することができる。
【００３９】
上記条件１.３）について、デュアル接続ノードのうち一つのノードのリンク障害の可能性が大きく且つ候補ターゲットノードがない場合に、測定結果の比較を直接に行うことができ、これにより、他の一つのノードに対する測定対象の測定結果を利用することができる。
【００４０】
これに対応して、所定条件に応じてノード間の測定結果の比較を適切に停止してもよい。一つの具体的実施例によれば、モビリティ測定装置１２０は、第１の接続ノードが以下の条件の少なくとも一つを満足する場合に、第２の接続ノードの測定結果との比較を停止するとともに、既にトリガーされた対応するＡ３／Ａ４／Ａ５／Ｂ１／Ｂ２  ＴＴＴタイマーを停止するように配置されてもよく、第１のノードの主キャリアの測定結果の比較が第１の測定対象における周波数に限られる。
２.１）第１のノードの主キャリアがＡ１イベントトリガー報告条件を満足し、
２.２）第１のノードの主キャリアはＴ３１０タイマーのタイムアウト前にＴ３１０タイマーを停止した又はＴ３１０タイマーを起動した後に所定期間を超えない際に第１の測定対象に関するＡ３／Ａ４／Ａ５／Ｂ１／Ｂ２  ＴＴＴタイマーを起動した、又は当該ＴＴＴタイマーを起動し且つ運行時間が所定期間を超えた。
【００４１】
以上の条件２.１）について、ノードのサービス品質が回復されたので、他の一つのノードの測定結果との比較を停止することができる。
【００４２】
以上の条件２.２）について、ノードリンク障害の可能性が小さい又は候補ターゲットノードが存在する可能性があるので、他の一つのノードの測定結果との比較を停止することができる。
【００４３】
特に、一つの実施例によれば、モビリティ測定装置１２０は、方式eの接続変換に対応するモビリティ測定について、現在デュアル接続ノード各自の異周波数測定又は異システム測定の測定対象に含まれる周波数のみに対して、モビリティ測定と報告を行うように配置される。これにより、不必要な報告がない場合にノード内にセカンダリキャリアの変換を正確に行うことを確保することができる。
【００４４】
一方、単一のノードでＴＴＴタイマーを起動して伝統の切り替えイベント報告トリガーフローを実行するとともに他の一つのチャネル品質モニタリングフロー、即ち、ＲＬＦのモニタリングも存在する。例えば、図３に示すように、異なるノードに対して起動したＴＴＴタイマー（例えばＴＴＴタイマー１-４）とＲＬＦ  Ｔ３１０タイマーとの起動時間の関係が異なる可能性がある。また、異なるノードの間に一定の時間依存関係がある可能性があり、これらの依存関係はどのような移行を行う測定報告トリガーを判断するのに寄与する。
【００４５】
一つの実施例によれば、モビリティ測定装置１２０は、現在デュアル接続ノードのうち第１のノードがＡ３／Ａ４／Ａ５／Ｂ１／Ｂ２イベントトリガー報告条件を満足し、且つ現在デュアル接続ノードにおける第２のノードに対して起動したＡ３／Ａ４／Ａ５／Ｂ１／Ｂ２  ＴＴＴタイマー及び／又はＴ３１０タイマーが所定条件を満足する場合に、上記方式c の接続変換に対応する測定結果及び／又は測定比較結果のトリガー報告を直接に行うように配置されてもよい。
【００４６】
言い換えれば、一つのノードが接続変換条件を満足する場合に、第２のノードのタイマーが所定条件（例えば、後で具体的実施例を参照して説明する具体的条件）を満足すれば、第２のノードのタイマーが満期するのを待つ必要がなく、上記方式c の接続変換に対応する測定結果報告を行い、当該報告は第１のノードがターゲットノードへの変換条件を満足し、且つ第２のノードの接続を切断できることを指示してもよい。よって、システムは当該測定結果に応じて、現在デュアル接続ノードのうち二つのノードの接続を切断し、接続を当該ターゲットノードに移行して、デュアル接続状態からシングル接続状態に変換すると決定することができる。当該配置により、測定報告操作の複雑さを低減させる。
【００４７】
具体的実施例と結合して、上記の所定条件の例を説明する。
【００４８】
一つの具体的実施例によれば、以下の条件を満足する場合に、上記方式cに対応する測定結果報告を直接に行う。
３.１）第１のノードが先にＡ３／Ａ４／Ａ５／Ｂ１／Ｂ２イベントトリガー報告条件を満足し、
３.２）この時刻で、第２のノードの主キャリアのＡ３／Ａ４／Ａ５／Ｂ１／Ｂ２  ＴＴＴタイマーの満期待ち時間が所定閾値より小さく、
３.３）第１のノードと第２のノードの測定ターゲットノードが同じである。
【００４９】
本文で、「満期待ち時間」とは、タイマーの現在時間と予想満期時間との差を指し、つまり、満期待ち時間が短いほど、タイマーの満期に近づくようになる。
【００５０】
以上の条件３.１）を満足する場合に、第１のノードに利用可能な移行ターゲットノード（同システム又は異システムのノードであってもよい）が存在することを表す。
【００５１】
以上の条件３.２）を満足する場合に、第２のノードに利用可能な移行ターゲットノードが存在する可能性が大きいことを表す。図４に示すように、現在時間が第１のノードのＴＴＴＡタイマー満期の時間（即ち、図面の時点ＴＡ）であり、第２のノードのＴＴＴタイマーＴＴＴBの予想満期時間がＴBであり、且つＴＢ−ＴＡ≦△ＴＴＴであるとすると、条件２）を満足する。
【００５２】
以上の条件３.３）を満足する場合に、第２のノードのＴＴＴタイマーが満期しても同じターゲットノードへ移行することを表す。
【００５３】
従って、以上の条件を満足する場合に、第２のノードのタイマーが満期するのを待つ必要がなく、上記方式cの接続変換に対応する測定結果報告を直接に行う。これにより、システムは、当該測定結果に応じて、現在デュアル接続ノードのうち二つのノードの接続を切断し、接続を当該ターゲットノードに移行すると決定できる。
【００５４】
他の一つの具体的実施例によれば、以下の条件を満足する場合に、上記方式cに対応する測定結果報告を直接に行い、移行ターゲットノードを第１のノードのターゲットノードとして指示し：
４.１）第１のノードが先にＡ３／Ａ４／Ａ５／Ｂ１／Ｂ２イベントトリガー報告の条件を満足し、
４.２）この時刻で、第２のノードの主キャリアのＡ３／Ａ４／Ａ５／Ｂ１／Ｂ２  ＴＴＴタイマーの満期待ち時間が所定閾値より小さく、
４.３）この時刻で、第２のノードのＴ３１０タイマーの満期待ち時間が当該ＴＴＴタイマーの満期待ち時間よりも所定閾値以上に大きくない。
【００５５】
以上の条件４.１）を満足する場合に、第１のノードに利用可能な移行ターゲットノードが存在することを表す。
【００５６】
以上の条件４.２）を満足する場合に、第２のノードに利用可能な移行ターゲットノードが存在する可能性が大きいことを表す。図５に示すように、第１のノードのＴＴＴＡタイマーが満期する時間ＴＡと第２のノードのＴＴＴタイマーＴＴＴBの予想満期時間ＴBとがＴＢ−ＴＡ≦△ＴＴＴを満足すると、条件２）を満足する。
【００５７】
以上の条件４.３）を満足する場合に、第２のノードのＴＴＴタイマーが満期しても、接続変換を完了するのに不十分な時間内でリンク障害が現れる可能性がある。図５に示すように、第２のノードのＴ３１０タイマーの予想満期時間がＴＣであり、かつＴＣ−ＴＢ≦△Ｔ３１０を満足すると、条件３）を満足する。
【００５８】
従って、以上の条件を満足する場合に、第２のノードのＴＴＴ又はＴ３１０タイマーが満期するのを待つ必要がなく、上記方式cの接続変換に対応する測定結果報告を直接に行う。これにより、システムは、当該測定結果に応じて、現在デュアル接続ノードのうち二つのノードの接続を切断して、接続を当該ターゲットノードに移行すると決定できる。
【００５９】
他の一つの具体的実施例によれば、以下の条件を満足する場合に、上記方式cに対応する測定結果報告を直接に行い、移行ターゲットノードを第１のノードのターゲットノードとして指示し：
５.１）第１のノードが先にＡ３／Ａ４／Ａ５／Ｂ１／Ｂ２イベントトリガー報告の条件を満足し、
５.２）この時刻で、第２のノードのＴ３１０タイマーの満期待ち時間が所定閾値より小さい。
【００６０】
以上の条件５.１）を満足する場合に，第１のノードに利用可能な移行ターゲットノードが存在することを表す。
【００６１】
以上の条件５.２）を満足する場合に、第２のノードがすぐにリンク障害が現れる可能性があることを表す。図６に示すように、第２のノードのＴ３１０タイマーの予想満期時間がＴCであり、且つＴＣ−ＴＡ＜△’Ｔ３１０を満足すると、条件２）を満足する。
【００６２】
従って、以上の条件を満足する場合に、第２のノードのＴＴＴ又はＴ３１０タイマーが満期するのを待つ必要がなく、上記方式cの接続変換に対応する測定結果報告を直接に行う。これにより、システムは、当該測定結果に応じて、現在デュアル接続ノードのうち二つのノードの接続を切断して、接続を第１のノードの移行ターゲットノードに移行すると決定できる。
【００６３】
上記の具体的実施例において、必要に応じて閾値△ＴＴＴ、△Ｔ３１０、△’Ｔ３１０を具体的に設置することが可能である。例えば、接続変換の実行に必要な時間を参照して上記時間閾値を設置してもよく、前記閾値は、接続ノードのサービスキャリアが放送メッセージ又は専用ＲＲＣ／ＭＡＣによりモビリティ測定装置に通知される。
【００６４】
以上、測定状況が特定の条件を満足する場合に、第２のノードのタイマーが満期するのを待つことなく報告を直接に行う実施例を記述した。他の一実施例によれば、モビリティ測定装置１２０は、現在デュアル接続ノードのうち第１のノードに対してＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び前記第１のノード及び／又は前記第２のノードに対して起動したＴ３１０タイマーが所定条件を満足する場合に、第２のノードに対する当該ＴＴＴタイマーが満期するのを待つように配置されてもよい。
【００６５】
言い換えれば、一つのノードが接続変換条件を満足する場合に、第１のノードと第２のノードのタイマーが所定条件（例えば、後に具体的実施例を参照して説明する具体的条件）を満足すれば、第２のノードのタイマーが満期するのを待つ。これにより、システムは、二つのノードの当該測定結果に応じて接続変換形態を確定することができる。当該実施例により、特定の場合に二つのノードの測定結果に応じて接続変換形態をより適切に確定できることを保証してもよい。
【００６６】
一つの具体的実施例によれば、第１のノードに対してＡ３／Ａ４／Ａ５／Ｂ１／Ｂ２イベントトリガー報告条件を満足し、且つ以下の条件を満足する場合に、第２のノードに対する当該ＴＴＴタイマーが満期するのを待つ。
６.１）第２のノードの主キャリアに対して起動したＡ３／Ａ４／Ａ５／Ｂ１／Ｂ２  ＴＴＴタイマーの満期待ち時間が所定閾値より小さく、且つ
６.２）第１のノード及び／又は第２のノードに対して起動したＴ３１０タイマーの満期待ち時間が第２のノードの当該ＴＴＴタイマーの満期待ち時間よりも所定閾値以上に大きい。
【００６７】
以上の条件６.１）を満足する場合に、第２のノードに利用可能な移行ターゲットノードが存在する可能性が大きいことを表す。例えば、図７に示すように、第１のノードのＴＴＴＡタイマーが満期する時間ＴＡと第２のノードのＴＴＴタイマーＴＴＴBの予想満期時間ＴBがＴB−ＴA＜△ＴＴＴを満足するので、条件６.１）を満足する。
【００６８】
以上の条件６.２）を満足する場合に、まだ第１のノード及び／又は第２のノードのリンク障害がすぐに発生しないことを表す。例えば、図７に示すように、Ｔ３１０タイマーが（第１のノード及び／又は第２のノードに対して起動したＴ３１０タイマーであってもよい）の予想満期時間がＴCであり、且つＴC−ＴB＞△Ｔ３１０を満足すると、条件６.２）を満足する。
【００６９】
さらに、前記した第２のノードのＴＴＴタイマーが満期するのを待つ条件を満足する場合に、第２のノードのＴＴＴタイマーが満期するのを待つ過程中に第２のノードのチャネル品質が既に回復されたことで当該ＴＴＴタイマーが停止されたら、第１のノードの測定トリガーイベントに対して上記方式bに対応する測定結果報告を行うことができる。
【００７０】
言い換えれば、第１のノードが接続変換条件を満足する場合に、第２のノードのサービス品質が回復されたら、当該報告は、第１のノードがターゲットノードへの変換条件を満足し、且つ第２のノードの接続を保持できることを指示してもよい。これにより、システムは、当該測定結果に応じて、現在デュアル接続ノードのうち第２のノードの接続を保持し、第１のノードの接続をそのターゲットノードに移行して、デュアル接続状態を保持すると決定できる。
【００７１】
なお、前記した第２のノードのＴＴＴタイマーが満期するのを待つ条件を満足する場合に、第２のノードのＴＴＴタイマーが満期すると、以下の測定状況に応じて対応する報告方式を確定できる。
７.１）第１のノードと第２のノードの主キャリア測定ＴＴＴイベントのターゲットノードが異なる場合に、上記方式dに対応する測定結果報告を行う、或いはマクロノードのターゲットノードにより前記方式cに対応する測定結果報告を行い、
７.２）第１のノードと第２のノードの主キャリア測定ＴＴＴイベントのターゲットノードが同じである場合に、上記方式cに対応する測定結果報告を行う。
【００７２】
以上の場合７.１）について、二つのノードの利用可能な移行ターゲットノードが異なるので、報告は、第１のノードと第２のノードとがそれぞれ各自のターゲットノードへの条件を満足することを指示してもよい。システムは、当該測定結果に応じて、現在デュアル接続ノードのうち二つのノードの接続を切断し、接続を二つのターゲットノードに移行して、デュアル接続状態を保持すると決定し、或いは、当該測定結果に応じて、現在デュアル接続ノードのうち二つのノードの接続を切断し、接続をマクロノードのターゲットノードに移行して、シングル接続状態を保持すると決定できる。
【００７３】
以上の場合７.２）について、二つのノードの利用可能な移行ターゲットノードが同じであるので、報告は、第１のノードと第２のノードとがともに同一ターゲットノードへの変換条件を満足することを指示してもよい。これにより、システムは、当該測定結果に応じて、現在デュアル接続ノードのうち二つのノードの接続を切断し、接続を当該ターゲットノードに移行して、デュアル接続状態からシングル接続状態に変換すると決定できる。
【００７４】
また、一つの実施例によれば、第２のノードのＴＴＴタイマーが満期するのを待つ条件は、第２のノードに対する測定トリガー報告イベントがカバーに基づくモビリティトリガー報告イベントであるということを含んでもよい。言い換えれば、第１のノードのＴＴＴタイマーが満期した後に第２のノードのＴＴＴタイマーが満期するのを待つ場合には第２のノードに対する測定のみがカバーに基づくモビリティ測定であるが、第１のノードの測定がカバーに基づくモビリティ測定又は負荷に基づくモビリティ測定であってもよい。当該配置により、カバーに基づく測定報告が負荷に基づく測定報告を待つことを避けることができ、これによりモビリティ測定報告方式がより合理であるようになる。
【００７５】
上記実施例と結合して記述した測定状況に加えて、デュアル接続ノードがいずれもトリガー報告条件を満足する場合が存在する可能性がある。一つの実施例によれば、モビリティ測定装置１２０は、現在デュアル接続ノードの二つのノードの主キャリアがいずれもＡ３／Ａ４／Ａ５／Ｂ１／Ｂ２イベントトリガー報告条件を満足する場合に、二つの接続ノードの移行を行わなく、優先度の順に方式bに対応する測定結果報告を行う、或いは、方式dに応じて報告を行ってネットワークにより優先移行ノードを決定するように配置されてもよい。言い換えれば、報告は、一つのノードがターゲットノードへの変換条件を満足し、且つ他の一つのノードの接続を保持できることを指示してもよい。これにより、システムは、当該測定結果に応じて、現在デュアル接続ノードのうちどのノードの接続を保持し、他の一つノードの接続をターゲットノードに移行して、デュアル接続状態を保持すると決定できる。当該他の一つのノードについて、一定の時間を待つ、或いは、ネットワークのノード移行コマンドを受信した後に当該他の一つのノードに対して報告を行ってもよい。当該配置により、測定報告の複雑さを低減させるのに有利である。
【００７６】
具体的に、以下の原則の一つ又は複数に基づいて移行の優先順序を確定することができる。
８.１）ソースノードチャネル品質のより悪いものが優先し、
８.２）ターゲットノード信号のより良いものが優先し、
８.３）カバーに基づく測定イベントが負荷に基づく測定イベントよりも優先し、
８.４）Ｔ３１０のタイムアウトがより早いノードが優先し、
８.５）マクロ基地局ノードが低電力ノードよりも優先する。
【００７７】
以上の条件８.１）と８.２）に基づいて、チャネル品質に応じて変換方式を選択することにより、ノード変換でより良いサービス品質を実現することができる。以上の条件８.３）と８.５）に基づいて、より重要なノードを優先して移行することを保証することができる。以上の条件８.４）に基づいて、リンク障害の現れる可能性がより高いノードを優先して移行することを保証することができる。当該配置により、チャネル品質又はノードの重要度に従って前後に報告を行うことができ、これによりモビリティ測定報告方式が合理であるようになる。
【００７８】
また、マクロノードの主な作用はネットワーク接続を保持することであるが、低電力ノードの目的は主にデータ分散であることを考慮して、好ましくは、主に低電力ノードに対して負荷に基づく報告イベントを行い、カバーに基づく測定報告イベントが二つの接続ノードに対して行われる。
【００７９】
従って、一つの実施例によれば、モビリティ測定装置１２０は、低電力ノードのみに負荷に基づくイベント報告を行うように配置されてもよい。
【００８０】
特に、各種のシーケンス関係の組み合わせにおいて上記接続変換形態cと方式d（即ち、現在デュアル接続ノードのうち二つのノードの接続を切断して、接続を一つ又は二つのターゲットノードに移行する）に対応する測定報告が現れる場合に、モビリティ測定装置１２０は、新しいトリガーによりイベントを報告するか、伝統のＡ３／Ａ４／Ａ５／Ｂ１／Ｂ２のイベントを組み合わせて使用し報告を行うように配置されてもよい。なお、モビリティ測定装置１２０は、各種の報告方式、例えば、対応ノードへ対応接続ノードの測定結果を報告する（即ち、第１のノードへ第１のノードの測定結果を報告し、第２のノードへ第２のノードの測定結果を報告する）方式、二つのノードへともに各ノードの測定結果を報告する（即ち、第１のノードと第２のノードへ第１のノードと第２のノードの測定結果を報告する）方式を採用することができる。また、マクロノードのみに二つのノードの測定結果を報告する、或いは、マクロノードへ二つのノードの測定結果を報告するとともに低電力ノードにもその自身主キャリアの測定結果を報告してもよく、後で図８〜図１１を参照して説明するようである。
【００８１】
一つの実施例によれば，モビリティ測定装置１２０は、ノード変換通知シグナルを受信する前に現在デュアル接続ノードのうち一つのノードに無線リンク障害が現れ且つ既に当該ノードに対してノード移行イベント報告を行った場合に、所定時間閾を超えるのを待った後に現在デュアル接続ノードのうちの他の一つのノードを介してネットワークへ報告し、当該時間閾以内であると、ネットワークが他の一つのノードから変換通知シグナルを送信するのを待つように配置されてもよい。又は、当該他の一つのノードへ直接に報告し、当該他の一つのノードからの通知に基づいてノード移行操作を行ってもよい。
【００８２】
なお、接続ノードに対して起動したＴ３１０タイマー又はＴＴＴタイマーの状態に応じて、どのノードにより測定報告を行うか、また接続移行確認を受信するかを確定してもよい。
【００８３】
一つの実施例によれば、モビリティ測定装置１２０は、以下の場合に現在デュアル接続ノードのうち第１のノード及び／又は第２のノードを介して測定報告の送信及び接続移行確認の受信をする，即ち、以下の場合に二つのノードの何れか一つ又は二つのノードを介して測定報告を送信し及び接続移行確認を受信するように配置されててもよい。
９.１）第１のノードと第２のノードのＴ３１０タイマーの満期待ち時間がいずれも所定閾値より大きい、又は
９.２）第１のノードと第２のノードについて、Ｔ３１０タイマーの満期待ち時間がＴＴＴタイマーの満期待ち時間よりも所定閾値以上に大きい。
【００８４】
前記のように、満期待ち時間とは、現在時間とタイマーの予想満期時間との差を指す。以下、現在時間が第１のノードのＴＴＴタイマーが満期する時間であり、且つ第１のノードのＴ３１０タイマーの満期待ち時間をＴ３１０Ａで示し、第２のノードのＴ３１０タイマーの満期待ち時間をＴ３１０Bで示し、第２のノードのＴＴＴタイマーの満期待ち時間をＴＴＴBで示すとする。
【００８５】
以上の条件９.１）を満足する場合に、即ち、Ｔ３１０Ａ≧△Ａ且つＴ３１０B≧△Bである場合に、これは、二つの接続ノードについて、すぐにリンク障害が現れることがないことを表すので、二つのノードの何れか一つ又は二つのノードにより測定報告の送信と接続移行確認の受信を行うことができる。
【００８６】
以上の条件９.２）を満足する場合に、即ち、Ｔ３１０Ａ−ＴＴＴB≧△’Ａ且つＴ３１０B−ＴＴＴB≧△’Bである場合に、利用可能な移行ターゲットノードを確定したこととリンク障害が発生することの間に十分時間があることを表すので、二つのノードの何れか一つ又は二つのノードにより測定報告の送信と接続移行確認の受信を行うこともできる。
【００８７】
他の実施例によれば、モビリティ測定装置１２０は、以下の場合に、現在デュアル接続ノードのうち第１のノードを介して測定報告を送信し及び接続移行確認を受信するように配置されてもよい。
１０.１）第１のノードのＴ３１０タイマーの満期待ち時間が所定閾値より大きく、現在デュアル接続ノードのうち第２のノードのＴ３１０タイマーの満期待ち時間が所定閾値より小さい、又は
１０.２）第１のノードについて、Ｔ３１０タイマーの満期待ち時間がＴＴＴタイマーの満期待ち時間よりも所定閾値以上に大きく、且つ第２のノードについて、Ｔ３１０タイマーの満期待ち時間がＴＴＴタイマーの満期待ち時間よりも所定閾値以上に大きくない。
【００８８】
以上の条件１０.１）を満足する場合に、即ち、Ｔ３１０Ａ≧△Ａ且つＴ３１０B<△Bである場合に、これは、第１のノードにとって、すぐにリンク障害が現れることなく、第２のノードにとって、すぐにリンク障害が現れる可能性があることを表す。従って、第１のノードにより測定報告の送信と接続移行確認の受信を行うことができる。
【００８９】
以上の条件１０.２）を満足する場合に、即ち、Ｔ３１０Ａ−ＴＴＴB≧△’Ａ且つＴ３１０B−ＴＴＴB<△’Bである場合に、これは、第１のノードにとって、利用可能な移行ターゲットノードを確定したこととリンク障害が発生することの間に十分時間がある可能性があり、第２のノードにとって、利用可能な移行ターゲットノードを確定したこととリンク障害が発生することの間に十分時間がない可能性があることを表すので、第１のノードにより測定報告の送信と接続移行確認の受信を行うことができる。
【００９０】
同様に、モビリティ測定装置１２０は、以下の場合に現在デュアル接続ノードのうち第２のノードを介して測定報告を送信し及び接続移行確認を受信するように配置されてもよい。
１１.１）第２のノードのＴ３１０タイマーの満期待ち時間が所定閾値より大きく、且つ現在デュアル接続ノードのうち第１のノードのＴ３１０タイマーの満期待ち時間が所定閾値より小さい、又は
１１.２）第２のノードについて、Ｔ３１０タイマーの満期待ち時間がＴＴＴタイマーの満期待ち時間よりも所定閾値以上に大きく、且つ第１のノードについて、Ｔ３１０タイマーの満期待ち時間がＴＴＴタイマーの満期待ち時間よりも所定閾値以上に大きくない。
【００９１】
もう一つの実施例によれば、モビリティ測定装置１２０は、以下の場合に現在デュアル接続ノードのうち第１のノードと第２のノードの両者を介して測定報告を送信し及び接続移行確認を受信するように配置されてもよい。
１２.１）第１のノードと第２のノードのＴ３１０タイマーの満期待ち時間がいずれも所定閾値より小さい、或いは
１２.２）第１のノードと第２のノードについて、Ｔ３１０タイマーの満期待ち時間がＴＴＴタイマーの満期待ち時間よりも所定閾値以上に大きくない。
【００９２】
以上の条件１２.１）を満足する場合に、即ち、Ｔ３１０Ａ<△Ａ且つＴ３１０B<△Bである場合に、これは、二つの接続ノードにとって、すぐにリンク障害が現れる可能性があることを表すので、二つのノードにより測定報告の送信と接続移行確認の受信を行う必要があり、シグナル伝達の完了に成功する可能性を向上させる。
【００９３】
以上の条件１２.２）を満足する場合に、即ち、Ｔ３１０Ａ−ＴＴＴB<△’Ａ且つＴ３１０B−ＴＴＴB≧△’Bである場合に、これは、利用可能な移行ターゲットノードを確定したこととリンク障害が発生することの間に十分時間がない可能性があることを表すので、二つのノードにより測定報告の送信と接続移行確認の受信を行う必要もあり、シグナル伝達の完了に成功する可能性を向上させる。
【００９４】
上記の実施例において、必要に応じて対応時間閾値、例えば閾値△Ａ、△B、△’Ａ、△’Bを具体的に設置することができる。例えば、接続変換の実行に必要な時間を参照して上記時間閾値を設置して、所定確率でシグナル伝達の完了に成功することを保証することができる。前記閾値は、接続ノードのサービスキャリアが放送メッセージ又は専用ＲＲＣ／ＭＡＣによりモビリティ測定装置に通知される。
【００９５】
これらのシーンは独立に報告される又は同じ処理原則を応用可能な一種類のシーンとして報告されてもよい（例えば、以上のルールに従って分けた四つの場合）。具体的に、０／１ビットマップで各種の場合を標記すると、増加した情報ビットが場合の総数である。二進法で増加する情報ビットを標記すると、増加する情報が４ビット又は２ビットである。これに対応して、ネットワークはこれらの状態に対応するシーケンス関係に応じて制御フローを実行することができる。
【００９６】
続いて、図８〜図１１のシーケンス図を参照して、接続ノード変換のためのシグナル伝達の例を説明する。なお、図８と図９は、変換方式c（即ち、現在デュアル接続ノードのうち二つのノードの接続を切断し、接続を一つのターゲットノードに移行する）に対応し、図１０と図１１は、変換方式d（即ち、現在デュアル接続ノードのうち二つのノードの接続を切断し、接続を二つのターゲットノードに移行する）に対応する。
【００９７】
図８に示すように、ＵＥは、チャネル状態モニタリングの結果に応じてマクロノードへ測定報告を送信することができる。なお、前述した条件（例えば、９.１）又は９.２）、或いは１２.１）又は１２.２））を参照し、ＵＥはサブノードへ測定報告を送信することもできる。また、マクロノードも受信した測定報告をサブノードに送信してもよい。
【００９８】
その後、マクロノード及び／又はサブノードによりターゲットノードへノード変換要求を送信することができる。要求が許可された場合に、ターゲットノードは受付シグナルをマクロノード及び／又はサブノードに送信し、マクロノード及び／又はサブノードがＵＥへノード変換確認を送出する。
【００９９】
図９に示すように、例えば前述した条件（例えば、１０.１）又は１０.２）、或いは１１.１）又は１１.２））を参照し、ＵＥはチャネル状態モニタリングの結果に応じてマクロノードのみに測定報告を送信することができる。
【０１００】
そして、マクロノードによりターゲットノードへノード変換要求を送信することができる。要求が許可された場合に、ターゲットノードは受付シグナルをマクロノードに送信し、マクロノードがＵＥへノード変換確認を送出する。
【０１０１】
なお、図９の例においてマクロノードにより測定報告報告と変換確認を送信するが、サブノードが対応条件を満足する場合に、サブノードにより測定報告報告と変換確認を送信することもできる。
【０１０２】
図１０に示すように、例えば前述した条件（例えば、１０.１）又は１０.２）、或いは１１.１）又は１１.２））を参照し、ＵＥはチャネル状態モニタリングの結果に応じてソースマクロノードへ測定報告を送信することができる。
【０１０３】
その後、ソースマクロノードによりターゲットマクロノードとターゲットサブノードへノード変換要求を送出することができる。要求が許可された場合に、ターゲットマクロノードとターゲットサブノードは受付シグナルをソースマクロノードに送信し、ソースマクロノードによりＵＥへノード変換確認を送出する。
【０１０４】
図１０の例においてソースマクロノードにより測定報告報告と変換確認を送信するが、ソースサブノードが対応条件を満足する場合に、ソースサブノードにより測定報告報告と変換確認を送信することもできる。
【０１０５】
図１１に示すように、例えば前述した条件（例えば、９.１）又は９.２）或いは１２.１）又は１２.２））を参照し、ＵＥはチャネル状態モニタリングの結果に応じてソースマクロノードとソースサブノードへ測定報告を送信することができる。
【０１０６】
その後、ソースマクロノードとソースサブノードによりターゲットマクロノードとターゲットサブノードへノード変換要求を送信することができる。要求が許可された場合に、ターゲットマクロノードとターゲットサブノードは受付シグナルをソースマクロノードとソースサブノードに送信し、ソースマクロノードとソースサブノードによりＵＥへノード変換確認を送出する。
【０１０７】
以上、実施形態における電子機器を記述する過程において、幾つかの処理又は方法も開示することは明らかである。以下では、以上で検討された幾つかの細部を重複しない上でこれらの方法の概述を与える。
【０１０８】
図１２に示すように、一つの実施例による移動通信端末によりモビリティ測定を行う方法において、
デュアル接続シーンで通信する移動通信端末が現在デュアル接続ノードの少なくとも一つを介するサービス品質が所定レベルより低い場合に（S１２１０：Y）、現在デュアル接続ノードに対して接続変換形態を確定するためのモビリティ測定を行い（S１２２０）、
現在デュアル接続ノードの少なくとも一つに対する測定状況に基づいて、モビリティ測定結果の報告方式を確定する（S１２３０）。
【０１０９】
なお、接続変換形態は、前述した接続変換形態a乃至方式eの少なくとも一つを含んでもよい。
【０１１０】
一つの実施例によれば、デュアル接続ノードの一つのサービス品質が第１の閾値レベルより低い場合に、前記方式aの接続変換に対応するモビリティ測定結果を報告し、前記第１の閾値レベルがＥ−ＵＴＲＡＮ  Ａ２イベントをトリガーするための閾値レベルより低い。
【０１１１】
他の一つの実施例によれば、所定条件を満足する場合に、現在デュアル接続ノードのうち第１のノードと第２のノードの測定結果間の比較に応じてモビリティ測定報告のトリガーを確定する。
【０１１２】
具体的に、第１のノードに対する第１の測定対象は、第１のノードから受信した第１のノードに対する異周波数異システム測定対象と第１のノード接続キャリアに対する同周波数測定対象を含んでもよい。第２のノードに対する第２の測定対象は、第２のノードから受信した第２のノードに対する異周波数異システム測定対象と第２のノード接続キャリアに対する同周波数測定対象を含んでもよい。
【０１１３】
第１の測定対象と第２の測定対象に基づいてモビリティ測定をそれぞれ行うと共に、第１のノードの測定対象の測定結果と第２のノードの測定対象の測定結果とを比較して測定報告条件を満足するかどうかを判断してもよい。第１のノードへ測定報告を行う条件を満足する場合に、第２のノードの測定対象の測定結果を第１のノードに報告する。
【０１１４】
また、第１のノードが以下の条件の少なくとも一つを満足する場合に、第１のノードの測定結果と第２のノードの測定結果とを比較してＥ−ＵＴＲＡＮ  Ａ３／Ａ４／Ａ５／Ｂ１／Ｂ２イベントのトリガー条件を満足するかどうかを判断し：第１のノードと第２のノードとの少なくとも一つがＡ２イベントのトリガー条件を満足すること、第１のノードについて、異周波数測定又は異システム測定のための測定対象が存在しないこと、第１のノードの主キャリアに対して起動したＴ３１０タイマーが所定期間を超え且つまだ第１のノードに対するＡ３／Ａ４／Ａ５／Ｂ１／Ｂ２  ＴＴＴタイマーを起動しない、又は当該ＴＴＴタイマーを起動したがいずれも所定期間内で停止されたこと。
【０１１５】
また、第１の接続ノードが以下の条件の少なくとも一つを満足する場合に、第２の接続ノードの測定結果との比較を停止して、既にトリガーされた対応Ａ３／Ａ４／Ａ５／Ｂ１／Ｂ２  ＴＴＴタイマーを停止し、第１のノードの主キャリアの測定結果の比較が第１の測定対象における周波数に限られ：第１のノードの主キャリアがＡ１イベントトリガー報告条件を満足すること、第１のノードの主キャリアがＴ３１０タイマーがタイムアウトする前にＴ３１０タイマーを停止した又はＴ３１０タイマーを起動した後に所定期間を超えない際に第１の測定対象に関するＡ３／Ａ４／Ａ５／Ｂ１／Ｂ２  ＴＴＴタイマーを起動した、又は当該ＴＴＴタイマーを起動し且つ運行時間が所定期間を超えたこと。
【０１１６】
一つの実施例によれば、方式eの接続変換に対応するモビリティ測定に対して、現在デュアル接続ノードの異周波数測定又は異システム測定の測定対象に含まれる周波数のみに対してモビリティ測定と報告を行う。
【０１１７】
他の一つの実施例によれば、現在デュアル接続ノードのうち第１のノードがＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び／又はＴ３１０タイマーが所定条件を満足する場合に、移動通信端末が前記方式cに対応する測定結果報告を直接に行う。
【０１１８】
具体的に、以下の条件を満足する場合に、方式cに対応する測定結果報告を直接に行い：第１のノードが先にＡ３／Ａ４／Ａ５／Ｂ１／Ｂ２イベントトリガー報告条件を満足すること、この時刻で、第２のノードの主キャリアのＡ３／Ａ４／Ａ５／Ｂ１／Ｂ２  ＴＴＴタイマーの満期待ち時間が所定閾値より小さいこと、且つ第１のノードと第２のノードの測定ターゲットノードが同じであること。
【０１１９】
また、以下の条件を満足する場合に、方式cに対応する測定結果報告を直接に行い、且つ移行ターゲットノードを第１のノードのターゲットノードとして指示し：第１のノードが先にＡ３／Ａ４／Ａ５／Ｂ１／Ｂ２イベントトリガー報告の条件を満足すること、この時刻で、第２のノードの主キャリアのＡ３／Ａ４／Ａ５／Ｂ１／Ｂ２  ＴＴＴタイマーの満期待ち時間が所定閾値より小さいこと、且つこの時刻で第２のノードのＴ３１０タイマーの満期待ち時間が当該ＴＴＴタイマーの満期待ち時間よりも所定閾値以上に大きくないこと。
【０１２０】
また、以下の条件を満足する場合に、方式cに対応する測定結果報告を直接に行い、且つ移行ターゲットノードを第１のノードのターゲットノードとして指示し：第１のノードが先にＡ３／Ａ４／Ａ５／Ｂ１／Ｂ２イベントトリガー報告の条件を満足すること、この時刻で第２のノードの主キャリアのＡ３／Ａ４／Ａ５／Ｂ１／Ｂ２  ＴＴＴタイマーの満期待ち時間が所定閾値より大きいこと、且つ、この時刻で第２のノードのＴ３１０タイマーの満期待ち時間が所定閾値より小さいこと。
【０１２１】
一つの実施例によれば、現在デュアル接続ノードのうち第１のノードがＡ３／Ａ４／Ａ５／Ｂ１／Ｂ２イベントトリガー報告条件を満足し、且つ現在デュアル接続ノードのうち第２のノードに対して起動したＡ３／Ａ４／Ａ５／Ｂ１／Ｂ２  ＴＴＴタイマー及び第１のノード及び／又は第２のノードに対して起動したＴ３１０タイマーが所定条件を満足する場合に、移動通信端末が第２のノードに対する当該ＴＴＴタイマーが満期するのを待つ。
【０１２２】
より具体的に、第１のノードがＡ３／Ａ４／Ａ５／Ｂ１／Ｂ２イベントトリガー報告条件を満足し、且つ以下の条件を満足する場合に、第２のノードに対する当該ＴＴＴタイマーが満期するのを待ち：第２のノードの主キャリアに対して起動したＡ３／Ａ４／Ａ５／Ｂ１／Ｂ２  ＴＴＴタイマーの満期待ち時間が所定閾値より小さいこと、且つ第１のノード及び／又は第２のノードに対して起動したＴ３１０タイマーの満期待ち時間が第２のノードの当該ＴＴＴタイマーの満期待ち時間よりも所定閾値以上に大きい。
【０１２３】
より具体的に、第２のノードのＴＴＴタイマーが満期するのを待つ過程中に第２のノードのチャネル品質が既に回復されたことで当該ＴＴＴタイマーが停止したら、第１のノードの測定トリガーイベントに対して方式bに対応する測定結果報告を行う。
【０１２４】
また、第２のノードのＴＴＴタイマーが満期したら、第１のノードと第２のノードの主キャリア測定ＴＴＴイベントのターゲットノードが異なる場合に、方式dに対応する測定結果報告を行い、第１のノードと第２のノードの主キャリア測定ＴＴＴイベントのターゲットノードが同じである場合に、方式cに対応する測定結果報告を行う。
【０１２５】
また、第２のノードのＴＴＴタイマーが満期するのを待つ条件は、第２のノードに対する測定トリガー報告イベントがカバーに基づくモビリティトリガー報告イベントであることをさらに含んでもよい。
【０１２６】
一つの実施例によれば、現在デュアル接続ノードの二つのノードの主キャリアがいずれもＡ３／Ａ４／Ａ５／Ｂ１／Ｂ２イベントトリガー報告条件を満足する場合に、以下の原則の一つ又は複数に基づいて報告優先順序を確定して方式bに対応する測定結果報告を行い：ソースノードチャネル品質のより悪いものが優先すること、ターゲットノード信号のより良いものが優先すること、カバーに基づく測定イベントが負荷に基づく測定イベントよりも優先すること、Ｔ３１０のタイムアウトのより早いノードが優先すること、マクロ基地局ノードが低電力ノードよりも優先すること。
【０１２７】
好ましくは、低電力ノードのみに負荷に基づくイベント報告を行ってもよい。
【０１２８】
一つの実施例によれば、ノード変換通知シグナルを受信する前に現在デュアル接続ノードのうち一つのノードに無線リンク障害が現れると、以下のルールの一つに応じて操作し：所定時間閾を超えるのを待った後に現在デュアル接続ノードの他の一つのノードを介してネットワークへ報告し、時間閾以内であるとネットワークが他の一つのノードから変換通知シグナルを送信するのを待つこと、直接に当該他の一つのノードへ報告し、他の一つのノードからの通知に基づいてノード移行操作を行うこと。
【０１２９】
他の一つの実施例によれば、以下の場合に、現在デュアル接続ノードのうち第１のノード及び／又は第２のノードを介して測定報告の送信及び接続移行確認の受信をする：第１のノードと第２のノードのＴ３１０タイマーの満期待ち時間がいずれも所定閾値より大きいこと、又は第１のノードと第２のノードについて、Ｔ３１０タイマーの満期待ち時間がＴＴＴタイマーの満期待ち時間よりも所定閾値以上に大きいこと。
【０１３０】
他の一つの実施例によれば、以下の場合に、現在デュアル接続ノードのうち第１のノードを介して測定報告の送信及び接続移行確認の受信をする：第１のノードのＴ３１０タイマーの満期待ち時間が所定閾値より大きく、且つ現在デュアル接続ノードのうち第２のノードのＴ３１０タイマーの満期待ち時間が所定閾値より小さいこと、又は第１のノードについて、Ｔ３１０タイマーの満期待ち時間がＴＴＴタイマーの満期待ち時間よりも所定閾値以上に大きく、且つ第２のノードについて、Ｔ３１０タイマーの満期待ち時間がＴＴＴタイマーの満期待ち時間よりも所定閾値以上に大きくないこと。
【０１３１】
他の一つの実施例によれば、以下の場合に、現在デュアル接続ノードのうち第１のノードと第２のノードの両者を介して測定報告の送信及び接続移行確認の受信をする：第１のノードと第２のノードのＴ３１０タイマーの満期待ち時間がいずれも所定閾値より小さいこと、又は第１のノードと前記第２のノードについて、Ｔ３１０タイマーの満期待ち時間がＴＴＴタイマーの満期待ち時間よりも所定閾値以上に大きいこと。
【０１３２】
一つの例として、上記方法の各ステップと上記装置の各組立モジュール及び／又はユニットは、ソフトウェア、ファームウエア、ハードウェア或いはその組み合わせとして実施できる。ソフトウェア或いはファームウエアで実現する場合、記憶媒体或いはネットワークから専用ハードウェア構造を有するコンピュータ（例えば図１３に示す汎用コンピュータ１３００）に、上記方法を実施するためのソフトウェアを構成するプログラムをインストールし、当該コンピュータは各種のプログラムがインストールされている場合、各種の機能等を実行できる。ソフトウェアで上記装置を実現する場合に、ソフトウェア設計により装置に対する配置を実現し、ハードウェアで上記装置を実現する場合に、ハードウェア設計或いは組み合わせにより装置に対するを配置を実現し、ソフトウェアとハードウェアとの結合により上記装置を実現する場合に、ハードウェア／ソフトウェアの結合設計により装置に対するを配置を実現してもよい。
【０１３３】
図１３において、演算処理ユニット（即ち、ＣＰＵ）１３０１は、読取専用メモリ（ＲＯＭ）１３０２に記憶されているプログラム或いは記憶部１３０８からランダムアクセスメモリ（ＲＡＭ）１３０３にロードしたプログラムに基づいて各種の処理を実行する。ＲＡＭ１３０３にも、必要に応じてＣＰＵ１３０１が各種の処理等を実行する際に必要なデータが記憶される。ＣＰＵ１３０１、ROＭ１３０２、ＲＡＭ１３０３はバス１３０４を介して互いに接続されている。入力／出力インターフェース１３０５もバス１３０４に接続されている。
【０１３４】
入力部１３０６（キーボード、マウス等を含む）、出力部１３０７（ディスプレイ、例えば陰極線管（ＣＲＴ）、液晶ディスプレイ（ＬＣＤ）等、スピーカ等を含む）、記憶部１３０８（ハードディスク等を含む）、通信部１３０９（ネットワークインターフェースカード例えばＬＡＮカード、モデム等を含む）が入力／出力インターフェース１３０５に接続される。通信部１３０９は、ネットワーク、例えばインターネットを介して通信処理を実行する。必要に応じて、ドライバー１３１０も入力／出力インターフェース１３０５に接続される。リムーバブルメディア１３１１、例えばディスク、光ディスク、光磁気ディスク、半導体メモリ等は、必要に応じてドライバー１３１０に装着され、その中から読み出したコンピュータプログラムが必要に応じて記憶部１３０８にインストールされるようになる。
【０１３５】
ソフトウェアで上記一連の処理を実現する場合、ネットワーク、例えばインターネット或いは記憶装置、例えばリムーバブルメディア１３１１からソフトウェアを構成するプログラムをインストールする。
【０１３６】
当業者にとって、この種の記憶媒体は、図１３に示す、その中にプログラムが記憶され装置に別途配分してユーザにプログラムを提供するリムーバブルメディア１３１１に限定されないことが分かる。リムーバブルメディア１３１１の例は、磁気ディスク（フロッピーディスク（登録商標））、光ディスク（光ディスク読取専用メモリ（ＣＤ−ROM）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１３０２、記憶部１３０８に含まれるハードディスク等であってもよく、その中にプログラムが記憶され、且つこれらを含む装置と一緒にユーザに配分される。
【０１３７】
本発明の実施例は、機器読み取り可能な指令コードが記憶されたプログラム製品にも関する。上記指令コードが機器に読み取られて実行される場合に、上記の本発明の実施例による方法を実行できる。
【０１３８】
これに対応して、上記の機器読み取り可能な指令コードが記憶されたプログラム製品がロードされた記憶媒体も本開示の開示に含まれる。上記記憶媒体は、フロッピーディスク、光ディスク、光磁気ディスク、メモリカード、メモリスティックを含むが、これらに限定されない。
【０１３９】
本発明の実施例は、さらに電子機器が含まれている。当該電子機器は、デュアル接続シーンで通信する移動通信端末が現在デュアル接続ノードの少なくとも一つを介するサービス品質が所定レベルより低い場合に現在デュアル接続ノードに対して接続変換形態を確定するためのモビリティ測定を行うように配置される回路を含む。当該回路は、さらに、現在デュアル接続ノードの少なくとも一つに対する測定状況に基づいてモビリティ測定結果の報告方式を確定するように配置される。
【０１４０】
以上、本発明の具体的実施例の記述において、一種の実施方式に記述された及び／又は示された特徴は同じ或いは類似の方式により一つ又は複数の他の実施形態に使用され、他の実施形態における特徴と組み合わる、又は他の実施形態における特徴を代替することができる。
【０１４１】
なお、用語「含む／含有」を本文で使用される際に、特徴、要素、ステップ或いはモジュールの存在を指し、一つ或いは複数の他の特徴、要素、ステップ或いはモジュールの存在或いは付加を排除しない。
【０１４２】
上記の実施例と例示において、数字からなる符号で各ステップ及び／又はユニットを示した。当業者にとって、これらの符号は説明と図面を容易にするためであり、その順又はいかなる他の限定を示すものではないことが分かる。
【０１４３】
また、本発明の方法は、明細書に記述した時間順序で実行されることに限定されず、他の時間順序で並行或いは独立に実行されてもよい。よって、本明細書に記述の方法の実行順序は、本開示の技術範囲を限定しない。
【０１４４】
以上、本開示の具体的実施例の記述によって本開示を説明したが、これは、例示であって、限定ではない。当業者は、請求項の主旨と範囲内で本発明に対する各種の修正、改善、或いは均等物を設計できる。これらの修正、改善、或いは均等物も、本発明の保護範囲に含まれる。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
無線通信システムにおける電子機器であって、
異なるキャリアにより二つの接続ノードのそれぞれとデュアル接続通信を行うように配置される通信装置と、
現在デュアル接続ノードの少なくとも一つの接続サービス品質が所定レベルより低い場合に、現在デュアル接続のうち接続ノードに対して、接続変換形態を確定するためのモビリティ測定を行い、
前記現在デュアル接続ノードの少なくとも一つに対する測定状況に応じて、モビリティ測定結果の報告方式を確定するように配置されるモビリティ測定装置とを含む電子機器。
【請求項２】
前記モビリティ測定は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の一つを確定するように配置されるモビリティ測定を含む請求項１に記載の電子機器。
【請求項３】
前記モビリティ測定装置は、現在デュアル接続ノードの一つの主キャリアのサービス品質が第１の閾値レベルより低い場合に、前記方式aの接続変換に対応するモビリティ測定結果を報告するように配置され、前記第１の閾値レベルがＥ−ＵＴＲＡＮ  Ａ２イベントをトリガーするための閾値レベルより高くない請求項２に記載の電子機器。
【請求項４】
前記モビリティ測定装置は、前記方式eの接続変換に対応するモビリティ測定について、現在デュアル接続ノード各自の異周波数測定又は異システム測定の測定対象に含まれる周波数点のみに対して前記モビリティ測定と報告を行うように配置される請求項２に記載の電子機器。
【請求項５】
前記モビリティ測定装置は、現在デュアル接続ノードのうち第１のノードに対してＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うように配置される請求項２に記載の電子機器。
【請求項６】
前記モビリティ測定装置は、現在デュアル接続ノードの二つのノードの主キャリアがいずれもＡ３、Ａ４、Ａ５、Ｂ１又はＢ２イベントトリガー報告条件を満足する場合に、以下の原則の一つ又は複数に基づいて報告優先順序を確定し、前記方式bに対応する測定結果報告を行い、
前記以下の原則は、
ソースノードチャネル品質のより悪いものが優先すること、
ターゲットノード信号のより良いものが優先すること、
カバーに基づく測定イベントが負荷に基づく測定イベントよりも優先すること、
Ｔ３１０のタイムアウトのより早いノードが優先すること、
マクロ基地局ノードが低電力ノードよりも優先することである請求項２に記載の電子機器。
【請求項７】
前記モビリティ測定装置は、ノード変換通知シグナルを受信する前に現在デュアル接続ノードのうち一つのノードに無線リンク障害が現れると、以下のルールの一つに応じて操作するように配置され、
前記以下のルールは、
所定時間閾を超えるのを待った後に現在デュアル接続ノードの他の一つのノードを介してネットワークへ報告し、前記所定時間閾以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１に記載の電子機器。
【請求項８】
前記モビリティ測定装置は、以下の場合に、現在デュアル接続ノードのうち第１のノード及び／又は第２のノードへ測定報告を送信し前記ノードから接続移行確認を受信するように配置され、
前記以下の場合は、
前記第１のノードと前記第２のノードのＴ３１０タイマーの満期待ち時間がいずれも所定閾値より大きいこと、又は
前記第１のノードと前記第２のノードについて、Ｔ３１０タイマーの満期待ち時間がＴＴＴタイマーの満期待ち時間よりも所定閾値以上に大きいことである請求項１に記載の電子機器。
【請求項９】
前記モビリティ測定装置は、以下の場合に、現在デュアル接続ノードのうち第１のノードへ測定報告の送信及び接続移行確認の受信をするように配置され、
前記以下の場合は、
前記第１のノードのＴ３１０タイマーの満期待ち時間が所定閾値より大きく、現在デュアル接続ノードのうち第２のノードのＴ３１０タイマーの満期待ち時間が所定閾値より小さいこと、又は
前記第１のノードに対して、Ｔ３１０タイマーの満期待ち時間がＴＴＴタイマーの満期待ち時間よりも所定閾値以上に大きく、且つ前記第２のノードに対して、Ｔ３１０タイマーの満期待ち時間がＴＴＴタイマーの満期待ち時間よりも所定閾値以上に大きくないことである請求項１に記載の電子機器。
【請求項１０】
移動通信端末によりモビリティ測定を行う方法であって、
デュアル接続シーンで通信する前記移動通信端末が現在デュアル接続ノードの少なくとも一つを介したサービス品質が所定レベルより低い場合に、前記現在デュアル接続ノードに対して、接続変換形態を確定するためのモビリティ測定を行うステップと、
前記現在デュアル接続ノードの少なくとも一つに対する測定状況に応じて、モビリティ測定結果の報告方式を確定するステップとを含む方法。
【請求項１１】
前記接続変換形態は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の少なくとも一つを含む請求項１０に記載の方法。
【請求項１２】
ノード変換通知を受信する前に現在デュアル接続ノードのうち一つのノードに無線リンク障害が現れると、以下のルールの一つに応じて操作するステップをさらに含み、
前記以下のルールは、
所定時間閾を超えるのを待った後に現在デュアル接続ノードの他の一つのノードを介してネットワークへ報告し、前記所定時間閾以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１０に記載の方法。
【請求項１３】
無線通信システムにおける電子機器であって、
デュアル接続用の異なるキャリアを介して第１のノード及び第２のノードと通信し、
前記第２のノードの主キャリアの無線リンク障害を検出し、
前記無線リンク障害を前記第１のノードへ指示する報告を生成する、
ように配置される回路を備える電子機器。
【請求項１４】
前記回路は、
前記電子機器の測定対象に対してモビリティ測定を行い、
モビリティ測定の結果を前記第１のノードへの前記報告に含ませる、ように配置される請求項１３に記載の電子機器。
【請求項１５】
前記第１のノードはマクロ基地局に対応し、前記電子機器は前記第１のノードのみへ報告する請求項１４に記載の電子機器。
【請求項１６】
前記回路は、さらに、前記無線リンク障害を指示する前記報告に応じて前記第２のノードを解放することを指示する、前記第１のノードからのシグナルを受信するように配置される請求項１３に記載の電子機器。
【請求項１７】
前記回路は、さらに、前記無線リンク障害を指示する前記報告に応じて前記第２のノードを変化することを指示する、前記第１のノードからのシグナルを受信するように配置される請求項１３に記載の電子機器。
【請求項１８】
前記電子機器はユーザ機器に対応する請求項１３に記載の電子機器。
【請求項１９】
無線通信システムにおける電子機器に用いる方法であって、
デュアル接続用の異なるキャリアを介して第１のノード及び第２のノードと通信するステップと、
前記第２のノードの主キャリアの無線リンク障害を検出ステップと、
前記無線リンク障害を前記第１のノードへ指示する報告を生成するステップと、を備える方法。
【請求項２０】
非一時的コンピュータ可読記憶媒体であって、実行可能な指令を含み、前記実行可能な指令が情報処理装置に実行される場合、ユーザ機器に用いる方法を前記情報処理装置に実行させ、前記方法は、
デュアル接続用の異なるキャリアを介して第１のノード及び第２のノードと通信するステップと、
前記第２のノードの主キャリアの無線リンク障害を検出ステップと、
前記無線リンク障害を前記第１のノードへ指示する報告を生成するステップと、を備える非一時的コンピュータ可読記憶媒体。
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
無線通信システムにおける電子機器であって、
異なるキャリアにより二つの接続ノードのそれぞれとデュアル接続通信を行うように配置される通信装置と、
現在デュアル接続ノードの少なくとも一つの接続サービス品質が所定レベルより低い場合に、現在デュアル接続のうち接続ノードに対して、接続変換形態を確定するためのモビリティ測定を行い、
前記現在デュアル接続ノードの少なくとも一つに対する測定状況に応じて、モビリティ測定結果の報告方式を確定するように配置されるモビリティ測定装置とを含む電子機器。
【請求項２】
前記モビリティ測定は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の一つを確定するように配置されるモビリティ測定を含む請求項１に記載の電子機器。
【請求項３】
前記モビリティ測定装置は、現在デュアル接続ノードの一つの主キャリアのサービス品質が第１の閾値レベルより低い場合に、前記方式aの接続変換に対応するモビリティ測定結果を報告するように配置され、前記第１の閾値レベルがＥ−ＵＴＲＡＮ  Ａ２イベントをトリガーするための閾値レベルより高くない請求項２に記載の電子機器。
【請求項４】
前記モビリティ測定装置は、前記方式eの接続変換に対応するモビリティ測定について、現在デュアル接続ノード各自の異周波数測定又は異システム測定の測定対象に含まれる周波数点のみに対して前記モビリティ測定と報告を行うように配置される請求項２に記載の電子機器。
【請求項５】
前記モビリティ測定装置は、現在デュアル接続ノードのうち第１のノードがＡ３、Ａ４、Ａ５、Ｂ１又はＢ２イベントトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うように配置される請求項２に記載の電子機器。
【請求項６】
前記モビリティ測定装置は、現在デュアル接続ノードの二つのノードの主キャリアがいずれもＡ３、Ａ４、Ａ５、Ｂ１又はＢ２イベントトリガー報告条件を満足する場合に、以下の原則の一つ又は複数に基づいて報告優先順序を確定し、前記方式bに対応する測定結果報告を行い、
前記以下の原則は、
ソースノードチャネル品質のより悪いものが優先すること、
ターゲットノード信号のより良いものが優先すること、
カバーに基づく測定イベントが負荷に基づく測定イベントよりも優先すること、
Ｔ３１０のタイムアウトのより早いノードが優先すること、
マクロ基地局ノードが低電力ノードよりも優先することである請求項２に記載の電子機器。
【請求項７】
前記モビリティ測定装置は、ノード変換通知シグナルを受信する前に現在デュアル接続ノードのうち一つのノードに無線リンク障害が現れると、以下のルールの一つに応じて操作するように配置され、
前記以下のルールは、
所定時間を超えるのを待った後に現在デュアル接続ノードの他の一つのノードを介してネットワークへ報告し、前記所定時間以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１に記載の電子機器。
【請求項８】
前記モビリティ測定装置は、以下の場合に、現在デュアル接続ノードのうち第１のノード及び／又は第２のノードへ測定報告を送信し、前記第１のノード及び／又は第２のノードから接続移行確認を受信するように配置され、
前記以下の場合は、
前記第１のノードと前記第２のノードのＴ３１０タイマーの満期待ち時間がいずれも所定閾値より大きいこと、又は
前記第１のノードと前記第２のノードについて、Ｔ３１０タイマーの満期待ち時間がＴＴＴタイマーの満期待ち時間よりも所定閾値以上に大きいことである請求項１に記載の電子機器。
【請求項９】
前記モビリティ測定装置は、以下の場合に、現在デュアル接続ノードのうち第１のノードへ測定報告の送信及び接続移行確認の受信をするように配置され、
前記以下の場合は、
前記第１のノードのＴ３１０タイマーの満期待ち時間が所定閾値より大きく、現在デュアル接続ノードのうち第２のノードのＴ３１０タイマーの満期待ち時間が所定閾値より小さいこと、又は
前記第１のノードに対して、Ｔ３１０タイマーの満期待ち時間がＴＴＴタイマーの満期待ち時間よりも所定閾値以上に大きく、且つ前記第２のノードに対して、Ｔ３１０タイマーの満期待ち時間がＴＴＴタイマーの満期待ち時間よりも所定閾値以上に大きくないことである請求項１に記載の電子機器。
【請求項１０】
無線リンク障害がある前記現在デュアル接続ノードの１つはセカンダリノードであり、他のノードはマクロノードであり、前記モビリティ測定装置は、マクロノードにのみ報告するように構成される、請求項７に記載の電子機器。
【請求項１１】
前記マクロノードは、前記電子機器に前記通知を提供する前に、ノード変換要求をターゲットノードに送信し、前記ターゲットノードからノード変換確認を受信する、請求項１０に記載の電子機器。
【請求項１２】
前記電子機器はユーザ装置に対応する、請求項１に記載の電子機器。
【請求項１３】
移動通信端末によりモビリティ測定を行う方法であって、
デュアル接続シーンで通信する前記移動通信端末が現在デュアル接続ノードの少なくとも一つを介したサービス品質が所定レベルより低い場合に、前記現在デュアル接続ノードに対して、接続変換形態を確定するためのモビリティ測定を行うステップと、
前記現在デュアル接続ノードの少なくとも一つに対する測定状況に応じて、モビリティ測定結果の報告方式を確定するステップとを含む方法。
【請求項１４】
前記接続変換形態は、
現在デュアル接続ノードのうち一つのノードの接続を切断し、デュアル接続状態からシングル接続状態に変換する方式aと、
現在デュアル接続ノードのうち一つのノードの接続を保持し、他の一つのノードの接続をターゲットノードに移行して、デュアル接続状態を保持する方式bと、
現在デュアル接続ノードのうち二つのノードの接続を切断し、接続を一つのターゲットノードに移行して、デュアル接続状態からシングル接続状態に変換する方式cと、
現在デュアル接続ノードのうち二つのノードの接続を切断し、接続を二つのターゲットノードに移行して、デュアル接続状態を保持する方式dと、
現在デュアル接続ノードのうち二つのノードの接続を保持し、各接続ノードにおけるサブキャリアを調整する方式e、という接続変換形態の少なくとも一つを含む請求項１３に記載の方法。
【請求項１５】
ノード変換通知を受信する前に現在デュアル接続ノードのうち一つのノードに無線リンク障害が現れると、以下のルールの一つに応じて操作するステップをさらに含み、
前記以下のルールは、
所定時間を超えるのを待った後に現在デュアル接続ノードの他の一つのノードを介してネットワークへ報告し、前記所定時間以内であると、ネットワークが他の一つのノードから変換通知シグナルを送信するのを待つこと、
直接に前記他の一つのノードへ報告し、前記他の一つのノードからの通知に基づいてノード移行操作を行うことである請求項１３に記載の方法。
【請求項１６】
無線リンク障害がある前記現在デュアル接続ノードの１つはセカンダリノードであり、他のノードはマクロノードであり、モビリティ測定装置は、マクロノードにのみ報告するように構成される、請求項１５に記載の方法。
【請求項１７】
前記マクロノードは、電子機器に前記通知を提供する前に、ノード変換要求をターゲットノードに送信し、前記ターゲットノードからノード変換確認を受信する、請求項１６に記載の方法。
【請求項１８】
さらに前記方法は、現在デュアル接続ノードの一つの主キャリアのサービス品質が第１の閾値レベルより低い場合に、前記方式aの接続変換に対応するモビリティ測定結果を報告するステップ、を含み、前記第１の閾値レベルはＥ−ＵＴＲＡＮ  Ａ２イベントをトリガーするための閾値レベルより高くない請求項１４に記載の方法。
【請求項１９】
さらに前記方法は、前記方式eの接続変換に対応するモビリティ測定について、現在デュアル接続ノード各自の異周波数測定又は異システム測定の測定対象に含まれる周波数点のみに対して前記モビリティ測定と報告を行うステップを含む、請求項１４に記載の方法。
【請求項２０】
さらに前記方法は、現在デュアル接続ノードのうち第１のノードがＡ３、Ａ４、Ａ５、Ｂ１又はＢ２イベントのトリガー報告条件を満足し、且つ現在デュアル接続ノードのうち第２のノードに対して起動したＡ３、Ａ４、Ａ５、Ｂ１又はＢ２  ＴＴＴタイマー及び／又はＴ３１０タイマーが所定条件を満足する場合に、前記方式cに対応する測定結果報告を直接に行うステップを含む、請求項１４に記載の方法。
【国際調査報告】
2017523618.tif 000016
2017523618.tif 000017
2017523618.tif 000018
2017523618.tif 000019